(57)【特許請求の範囲】
【請求項１】
ユーザ装置がネットワーク側により設定された補助情報制御パラメータをキャッチすることと、
前記ユーザ装置が前記補助情報制御パラメータに従って、ネットワーク側に該ユーザ装置の補助情報を報告することとを含み、
前記補助情報は、前記ユーザ装置がより節電を好むか高性能のソフトウェア使用エクスペリエンスを好むか、前記ユーザ装置の移動性情報、及び前記ユーザ装置のデータ伝送間隔を含み、
前記補助情報制御パラメータは第１デフォルト時間の長さを含み、前記ユーザ装置が前記補助情報制御パラメータに従って、ネットワーク側に該ユーザ装置の補助情報を報告することは、前記ユーザ装置が補助情報を送信する必要がある時に、前回の補助情報送信からの時間間隔が前記第１デフォルト時間の長さを超えるかどうかを判断し、前記時間間隔が前記第１デフォルト時間の長さを超えた時に、前記ユーザ装置が補助情報を送信し、前記時間間隔が前記第１デフォルト時間の長さを超えていない時に、前記ユーザ装置が前記補助情報を送信しないことを含み、及び／又は、
前記補助情報制御パラメータは第２デフォルト閾値を含み、前記ユーザ装置が前記補助情報制御パラメータに従って、ネットワーク側に該ユーザ装置の補助情報を報告することは、前記ユーザ装置がＲＲＣ接続状態にあり且つ補助情報を送信する必要がある時に、前記ユーザ装置は自体が今回のＲＲＣ接続状態中において補助情報を送信した回数が前記第２デフォルト閾値に達し又は超えたかどうかを判断し、前記第２デフォルト閾値に達していない時に、補助情報を送信し、第２デフォルト閾値に達し又は超えた時に、前記補助情報を送信しないことを含み、及び／又は、
前記補助情報制御パラメータは第３デフォルト時間の長さ及び第４デフォルト閾値を含み、前記ユーザ装置が前記補助情報制御パラメータに従って、ネットワーク側に該ユーザ装置の補助情報を報告することは、前記ユーザ装置が補助情報を送信する必要がある時に、自体が第３デフォルト時間の長さ内において補助情報を送信する回数が前記第４デフォルト閾値に達し又は超えたかどうかを判断し、補助情報を送信する回数が前記第４デフォルト閾値に達していない時に、補助情報を送信し、補助情報を送信する回数が前記第４デフォルト閾値に達し又は超えた時に、補助情報を送信しないことを含む、ユーザ装置補助情報制御方法。
【請求項２】
前記ユーザ装置は第１タイマーを備え、前記ユーザ装置が前記補助情報制御パラメータに従って、ネットワーク側に該ユーザ装置の補助情報を報告することは、
前記ユーザ装置が補助情報を送信した時に、前記第１タイマーがクリアして前記第１デフォルト時間の長さに従ってタイミングをリスタートすることと、
前記ユーザ装置が補助情報を送信する必要がある時に、前記第１タイマーのタイミング状況を検査し、前記第１タイマーがすでに設定時間を経過した場合、前記ユーザ装置が補助情報を送信し、前記第１タイマーがまだ設定時間を経過していない場合、前記ユーザ装置が前記補助情報を送信しないこととを含む請求項１に記載のユーザ装置補助情報制御方法。
【請求項３】
前記ユーザ装置が前記補助情報制御パラメータに従って、ネットワーク側に該ユーザ装置の補助情報を報告することは、
前記第１タイマーがタイミングする期間において、前記ユーザ装置が無線リソース制御ＲＲＣ接続をリリースし又は前記ユーザ装置がその他のセルに移動した場合、前記第１タイマーがタイミングを停止し、又は前記第１タイマーが引き続きタイミングすることをさらに含む請求項２に記載のユーザ装置補助情報制御方法。
【請求項４】
前記ユーザ装置は第２カウンターを備え、前記ユーザ装置が前記補助情報制御パラメータに従って、ネットワーク側に該ユーザ装置の補助情報を報告することは、
前記ユーザ装置がＲＲＣ接続をセットアップすることに失敗し、又は前記ユーザ装置のＲＲＣ接続がリリースされる時に、前記第２カウンターはカウントを停止することをさらに含む請求項１に記載のユーザ装置補助情報制御方法。
【請求項５】
前記ユーザ装置は第２カウンターを備え、前記ユーザ装置が前記補助情報制御パラメータに従って、ネットワーク側に該ユーザ装置の補助情報を報告することは、
前記ユーザ装置が切り替えフローを開始する時に、前記第２カウンターはカウントを停止し、又は前記第２カウンターは引き続きカウントすることをさらに含む請求項１に記載のユーザ装置補助情報制御方法。
【請求項６】
前記ユーザ装置は第３タイマー及び第４カウンターを備え、前記ユーザ装置が前記補助情報制御パラメータに従って、ネットワーク側に該ユーザ装置の補助情報を報告することは、
トリガー条件を満たす時に、前記第３タイマーはクリアされ、前記第３デフォルト時間の長さに従って改めてタイミングすることと、
前記第４カウンターは、前記第３タイマーがクリアし改めてタイミングすると同時に、ゼロからカウントスタートすることと、
前記ユーザ装置が補助情報を送信する必要がある時に、前記第４カウンターのカウント状況を検査し、前記第４カウンターのカウント結果が前記第４デフォルト閾値に達していない場合、前記補助情報を送信し、前記第４カウンターのカウント結果が前記第４デフォルト閾値に達し又は超えた場合、前記補助情報を送信しないこととを含む請求項１に記載のユーザ装置補助情報制御方法。
【請求項７】
前記トリガー条件は、前記第３タイマーが前記第３デフォルト時間の長さに従ってタイミングの設定時間を経過したこと、及び／又は
前記ユーザ装置が付着（Ａｔｔａｃｈ）過程を完成し、コアネットワークとの接続をセットアップすること、又は、
前記ユーザ装置がＲＲＣ接続過程を完成し、アクセスネットワークとの接続をセットアップすること、又は、
前記ユーザ装置が始動すること、又は、
前記ユーザ装置がネットワーク側により送信された前記補助情報制御パラメータを含む情報を受信すること、又は、
前記ユーザ装置がカスタマイズした、前記第３タイマーを始動してタイミングスタートする時間に到達することのイベントのいずれか一つ又は任意複数を含む請求項６に記載のユーザ装置補助情報制御方法。
【請求項８】
前記ユーザ装置が前記補助情報制御パラメータに従って、ネットワーク側に該ユーザ装置の補助情報を報告することは、
前記ユーザ装置が切り替えフローを開始し又はその他のセルを再選した時に、前記第３タイマーがタイミングを停止し、且つ前記第４カウンターがカウントを停止し、又は前記第３タイマーが引き続きタイミングし、且つ前記第４カウンターが引き続きカウントすることをさらに含む請求項６又は７に記載のユーザ装置補助情報制御方法。
【請求項９】
前記ユーザ装置がネットワーク側により設定された補助情報制御パラメータをキャッチすることは具体的に、
前記ユーザ装置はシステムメッセージにより、ネットワーク側が該ユーザ装置のために前記補助情報制御パラメータを設定することを受け入れること、及び／又は、
前記ユーザ装置はＲＲＣ専用シグナリングにより、ネットワーク側が前記ユーザ装置のために前記補助情報制御パラメータを設定することを受け入れること、及び／又は、
前記ユーザ装置はＭＡＣシグナリングにより、ネットワーク側が前記ユーザ装置のために前記補助情報制御パラメータを設定することを受け入れること、及び／又は、
前記ユーザ装置はダウンリンク制御チャネルにより、ネットワーク側が前記ユーザ装置のために前記補助情報制御パラメータを設定することを受け入れることである請求項１に記載のユーザ装置補助情報制御方法。
【請求項１０】
前記ユーザ装置はシステムメッセージにより、ネットワーク側が該ユーザ装置のために前記補助情報制御パラメータを設定することを受け入れる時に、
前記ユーザ装置がその他のセルに切り替え又は再選した時に、前記ユーザ装置はターゲットセルの放送メッセージを読み込むことと、
前記ターゲットセル放送メッセージ中において前記ユーザ装置が補助情報を送信する補助情報制御パラメータを有すると、前記ユーザ装置は前記放送メッセージ中における補助情報制御パラメータに従って補助情報を送信することと、
前記ターゲットセル放送メッセージ中において前記ユーザ装置が補助情報を送信する補助情報制御パラメータを有しないと、前記ユーザ装置が補助情報の送信を制御しないこととをさらに含む請求項９に記載のユーザ装置補助情報制御方法。
【請求項１１】
ネットワーク側はＲＲＣ専用シグナリングにより、前記ユーザ装置のために前記補助情報制御パラメータを設定し又はネットワーク側はＭＡＣシグナリングにより、前記ユーザ装置のために前記補助情報制御パラメータを設定する時に、
前記ユーザ装置がターゲットセルに切り替え又は再選した後、前記ユーザ装置はソースセルの補助情報制御パラメータをキャンセルし、補助情報の送信を制御せず、又は、
前記ユーザ装置がターゲットセルに切り替え又は再選した後、前記ユーザ装置はソースセルの補助情報制御パラメータをキャンセルし、補助情報の送信を制御せず、ターゲットセルが送信した補助情報制御パラメータを受信した後、前記ターゲットセルが送信した補助情報制御パラメータに基づいて補助情報送信を制御し、又は、
前記ユーザ装置がターゲットセルに切り替え又は再選した後、引き続きソースセルが設定した補助情報制御パラメータに従って補助情報送信を制御し、又は、
前記ユーザ装置がターゲットセルに切り替え又は再選した後、引き続きソースセルが設定した補助情報制御パラメータに従って補助情報送信を制御し、ターゲットセルが送信した補助情報制御パラメータを受信した後、前記ターゲットセルが送信した補助情報制御パラメータに基づいて補助情報送信を制御することをさらに含む請求項９に記載のユーザ装置補助情報制御方法。
【請求項１２】
ネットワーク側は自体負荷状況に基づいて、ユーザ装置の補助情報の報告を制御する必要があるかどうかを判断することと、
前記ネットワーク側がユーザ装置の補助情報の報告を制御する必要があると判断した時、前記ユーザ装置のために補助情報制御パラメータを設定し、前記補助情報制御パラメータを前記ユーザ装置に送信することとを含み、
前記補助情報は、前記ユーザ装置がより節電を好むか高性能のソフトウェア使用エクスペリエンスを好むか、前記ユーザ装置の移動性情報、及び前記ユーザ装置のデータ伝送間隔を含み、
前記補助情報制御パラメータは第１デフォルト時間の長さを含み、前記補助情報制御パラメータは、具体的に、前記ユーザ装置が補助情報を送信する必要がある時に、前回の補助情報送信からの時間間隔が前記第１デフォルト時間の長さを超えるかどうかを判断し、前記時間間隔が前記第１デフォルト時間の長さを超えた時に、前記ユーザ装置が補助情報を送信し、前記時間間隔が前記第１デフォルト時間の長さを超えていない時に、前記ユーザ装置が前記補助情報を送信しないものであり、及び／又は、
前記補助情報制御パラメータは第２デフォルト閾値を含み、前記補助情報制御パラメータは、具体的に、前記ユーザ装置がＲＲＣ接続状態にあり且つ補助情報を送信する必要がある時に、前記ユーザ装置は自体が今回ＲＲＣ接続状態中において補助情報を送信した回数が第２デフォルト閾値に達し又は超えたかどうかを判断し、前記補助情報を送信した回数が前記第２デフォルト閾値に達していない時に、補助情報を送信し、前記補助情報を送信した回数が第２デフォルト閾値に達し又は超えた時に、前記補助情報を送信しないものであり、及び／又は、
前記補助情報制御パラメータは第３デフォルト時間の長さ及び第４デフォルト閾値を含み、前記補助情報制御パラメータは、具体的に、前記ユーザ装置が補助情報を送信する必要がある時に、自体が第３デフォルト時間の長さ内において補助情報を送信する回数が前記第４デフォルト閾値に達し又は超えたかどうかを判断し、補助情報を送信する回数が前記第４デフォルト閾値に達していない時に、補助情報を送信し、補助情報を送信する回数が前記第４デフォルト閾値に達し又は超えた時に、補助情報を送信しないものである、ユーザ装置補助情報制御方法。
【請求項１３】
前記ネットワーク側は自体負荷状況に基づいて、ユーザ装置の補助情報の報告を制御する必要があるかどうかを判断することは、
前記ネットワーク側は、負荷変化がプリセットされた負荷閾値より高い時に、前記ユーザ装置の補助情報の報告を制御する必要があると判断することを含む請求項１２に記載のユーザ装置補助情報制御方法。
【請求項１４】
前記ネットワーク側がユーザ装置の補助情報の報告を制御する必要があると判断した時、前記ユーザ装置のために補助情報制御パラメータを設定することは、
プリセットされた前記補助情報制御パラメータの送信時点に前記ユーザ装置のために前記補助情報制御パラメータを設定すること、又は、
前記ネットワーク側が前記ユーザ装置の送信した補助情報を受信した後、前記ユーザ装置のために無線パラメータを再設定しないことを表明する拒否指示を前記ユーザ装置にフィードバックし、前記拒否指示により前記ユーザ装置のために前記補助情報制御パラメータを設定し、又は、
前記ネットワーク側が前記ユーザ装置の送信した補助情報を受信した後、前記ユーザ装置に、再設定された無線パラメータを含む設定情報をフィードバックし、前記設定情報により前記ユーザ装置のために前記補助情報制御パラメータを設定することを含む請求項１２に記載のユーザ装置補助情報制御方法。
【請求項１５】
前記ユーザ装置のために前記補助情報制御パラメータを設定することに用いられるベアラ方式は、
前記ネットワーク側はシステムメッセージにより前記ユーザ装置のために前記補助情報制御パラメータを設定すること、及び／又は、
前記ネットワーク側はＲＲＣ専用シグナリングにより前記ユーザ装置のために前記補助情報制御パラメータを設定すること、及び／又は、
前記ネットワーク側はＭＡＣシグナリングにより前記ユーザ装置のために前記補助情報制御パラメータを設定し、及び／又は、
前記ネットワーク側はダウンリンク制御チャネルにより前記ユーザ装置のために前記補助情報制御パラメータを設定することである請求項１４に記載のユーザ装置補助情報制御方法。
【請求項１６】
ネットワーク側が設定した補助情報制御パラメータをキャッチするように設置されるパラメータキャッチモジュールと、
前記補助情報制御パラメータに従って、ネットワーク側にユーザ装置の補助情報を報告するように設置される補助情報報告モジュールとを備え、
前記補助情報は、前記ユーザ装置がより節電を好むか高性能のソフトウェア使用エクスペリエンスを好むか、前記ユーザ装置の移動性情報、及び前記ユーザ装置のデータ伝送間隔を含み、
前記補助情報制御パラメータは第１デフォルト時間の長さを含み、前記補助情報報告モジュールは、前記補助情報制御パラメータに従って、ネットワーク側に該ユーザ装置の補助情報を報告するように設置され、補助情報を送信する必要がある時に、前回の補助情報送信からの時間間隔が前記第１デフォルト時間の長さを超えるかどうかを判断し、前記時間間隔が前記第１デフォルト時間の長さを超えた時に、補助情報を送信し、前記時間間隔が前記第１デフォルト時間の長さを超えていない時に、前記補助情報を送信しないことを含み、及び／又は、
前記補助情報制御パラメータは第２デフォルト閾値を含み、前記補助情報報告モジュールは、前記補助情報制御パラメータに従って、ネットワーク側に該ユーザ装置の補助情報を報告するように設置され、前記ユーザ装置がＲＲＣ接続状態にあり且つ補助情報を送信する必要がある時に、前記ユーザ装置が今回ＲＲＣ接続状態中において補助情報を送信した回数が前記第２デフォルト閾値に達し又は超えたかどうかを判断し、前記第２デフォルト閾値に達していない時に、補助情報を送信し、第２デフォルト閾値に達し又は超えた時に、前記補助情報を送信しないことを含み、及び／又は、
前記補助情報制御パラメータは第３デフォルト時間の長さ及び第４デフォルト閾値を含み、前記補助情報報告モジュールは、前記補助情報制御パラメータに従って、ネットワーク側に該ユーザ装置の補助情報を報告するように設置され、補助情報を送信する必要がある時に、前記ユーザ装置が第３デフォルト時間の長さ内において補助情報を送信する回数が前記第４デフォルト閾値に達し又は超えたかどうかを判断し、補助情報を送信する回数が前記第４デフォルト閾値に達していない時に、補助情報を送信し、補助情報を送信する回数が前記第４デフォルト閾値に達し又は超えた時に、補助情報を送信しないことを含む、ユーザ装置補助情報制御装置。
【請求項１７】
前記補助情報報告モジュールは、
前記ユーザ装置が補助情報を送信した時に、クリアして前記第１デフォルト時間の長さに従って改めてタイミングをスタートするように設置される第１タイマーと、
補助情報を送信する必要がある時に、前記第１タイマーのタイミング状況を検査し、前記第１タイマーがすでに設定時間を経過した場合、補助情報を送信し、前記第１タイマーがまだ設定時間を経過していない場合、前記補助情報を送信しないように設置される第１判断ユニットとを備える請求項１６に記載のユーザ装置補助情報制御装置。
【請求項１８】
前記第１タイマーは、前記ユーザ装置が無線リソース制御ＲＲＣ接続をリリースし又は前記ユーザ装置がその他のセルに移動した時に、タイミングを停止し、又は引き続きタイミングするようにさらに設置される請求項１７に記載のユーザ装置補助情報制御装置。
【請求項１９】
前記補助情報報告モジュールは、
前記ユーザ装置がＲＲＣ接続セットアップフローをトリガーする時に、ゼロからカウントスタートするように設置される第２カウンターと、
補助情報を送信する必要がある時に、前記第２カウンターのカウント状況を検査し、前記第２カウンターのカウント結果が前記第２デフォルト閾値に達していないと、前記ユーザ装置が補助情報を送信し、前記第２カウンターのカウント結果が前記第２デフォルト閾値に達し又は超えた場合、前記ユーザ装置が前記補助情報を送信しないように設置される第２判断ユニットとを備える請求項１６に記載のユーザ装置補助情報制御装置。
【請求項２０】
前記第２カウンターはさらに、前記ユーザ装置がＲＲＣ接続をセットアップすることに失敗し、又は前記ユーザ装置のＲＲＣ接続がリリースされる時に、カウントを停止するように設置される請求項１９に記載のユーザ装置補助情報制御装置。
【請求項２１】
前記第２カウンターはさらに、前記ユーザ装置が切り替えフローを開始する時に、カウントを停止し、又は引き続きカウントするように設置される請求項１９に記載のユーザ装置補助情報制御装置。
【請求項２２】
前記補助情報報告モジュールは、
トリガー条件を満たす時にクリアし、前記第３デフォルト時間の長さに従って改めてタイミングし、前記トリガー条件が、第３タイマーが前記第３デフォルト時間の長さに従ってタイミングの設定時間を経過したこと及び／又は
前記ユーザ装置が付着（Ａｔｔａｃｈ）過程を完成しコアネットワークとの接続をセットアップすること、前記ユーザ装置が無線リソース制御ＲＲＣ接続過程を完成しアクセスネットワークとの接続をセットアップすること、前記ユーザ装置が始動すること、前記ユーザ装置がネットワーク側により送信された前記補助情報制御パラメータを含む情報を受信すること及び前記ユーザ装置がカスタマイズした、前記第３タイマーを始動してタイミングスタートした時間に到達することのイベントのいずれか一つ又は任意複数を含むように設置される第３タイマーと、
前記第３タイマーがクリアして改めてタイミングすると同時に、ゼロからカウントスタートするように設置される第４カウンターと、
補助情報を送信する必要がある時に、前記第４カウンターのカウント状況を検査し、前記第４カウンターのカウント結果が前記第４デフォルト閾値に達していないと前記補助情報を送信し、前記第４カウンターのカウント結果が前記第４デフォルト閾値に達し又は超えた場合、前記補助情報を送信しないように設置される第３判断ユニットとを備える請求項１６に記載のユーザ装置補助情報制御装置。
【請求項２３】
前記第３タイマーはさらに、前記ユーザ装置が切り替えフローを開始する又はその他のセルを再選した時に、タイミングを停止するように設置され、
前記第４カウンターはさらに、前記第３タイマーがタイミングを停止する時に、カウントを停止するように設置され、
又は、
前記第３タイマーはさらに、前記ユーザ装置が切り替えフローを開始する又はその他のセルを再選した時に、引き続きタイミングするように設置され、
前記第４カウンターはさらに、前記ユーザ装置が切り替えフローを開始する又はその他のセルを再選した時に、引き続きカウントするように設置される請求項２２に記載のユーザ装置補助情報制御装置。
【請求項２４】
前記パラメータキャッチモジュールが、ネットワーク側が設定した補助情報制御パラメータをキャッチするように設置されることは、
システムメッセージにより、ネットワーク側が該ユーザ装置のために前記補助情報制御パラメータを設定することを受け入れること、及び／又は、
ＲＲＣ専用シグナリングにより、ネットワーク側が前記ユーザ装置のために前記補助情報制御パラメータを設定することを受け入れること、及び／又は、
ＭＡＣシグナリングにより、ネットワーク側が前記ユーザ装置のために前記補助情報制御パラメータを設定することを受け入れること、及び／又は、
ダウンリンク制御チャネルにより、ネットワーク側が前記ユーザ装置のために前記補助情報制御パラメータを設定することを受け入れることを含む請求項１６に記載のユーザ装置補助情報制御装置。
【請求項２５】
ネットワーク側に応用されるユーザ装置補助情報制御装置であって、
ネットワーク側負荷状況に基づいて、ユーザ装置の補助情報報告を制御する必要があるかどうかを判断するように設置される制御始動モジュールと、
前記制御始動モジュールがユーザ装置の補助情報の報告を制御する必要があると判断した時に、前記ユーザ装置に補助情報制御パラメータを設定するように設置される設定実行モジュールと、
前記補助情報制御パラメータを前記ユーザ装置に送信するように設置される送信モジュールとを備え、
前記補助情報は、前記ユーザ装置がより節電を好むか高性能のソフトウェア使用エクスペリエンスを好むか、前記ユーザ装置の移動性情報、及び前記ユーザ装置のデータ伝送間隔を含み、
前記補助情報制御パラメータは第１デフォルト時間の長さを含み、前記補助情報制御パラメータは、具体的に、前記ユーザ装置が補助情報を送信する必要がある時に、前回の補助情報送信からの時間間隔が前記第１デフォルト時間の長さを超えるかどうかを判断し、前記時間間隔が前記第１デフォルト時間の長さを超えた時に、補助情報を送信し、前記時間間隔が前記第１デフォルト時間の長さを超えていない時に、前記補助情報を送信しないものであり、及び／又は、
前記補助情報制御パラメータは第２デフォルト閾値を含み、前記補助情報制御パラメータは、具体的に、前記ユーザ装置がＲＲＣ接続状態にあり且つ補助情報を送信する必要がある時に、前記ユーザ装置が今回ＲＲＣ接続状態中において補助情報を送信した回数が第２デフォルト閾値に達し又は超えたかどうかを判断し、前記第２デフォルト閾値に達していない時に、補助情報を送信し、第２デフォルト閾値に達し又は超えた時に、前記補助情報を送信しないものであり、及び／又は、
前記補助情報制御パラメータは第３デフォルト時間の長さ及び第４デフォルト閾値を含み、前記補助情報制御パラメータは、具体的に、前記ユーザ装置が補助情報を送信する必要がある時に、前記ユーザ装置が第３デフォルト時間の長さ内において補助情報を送信する回数が前記第４デフォルト閾値に達し又は超えたかどうかを判断し、補助情報を送信する回数が前記第４デフォルト閾値に達していない時に、補助情報を送信し、補助情報を送信する回数が前記第４デフォルト閾値に達し又は超えた時に、補助情報を送信しないものである、ユーザ装置補助情報制御装置。
【請求項２６】
前記制御始動モジュールは、ネットワーク側が自体負荷状況に基づいて、ユーザ装置の補助情報の報告を制御する必要があるかどうかを判断するように設置されることは、
負荷変化がプリセットされた負荷閾値より高い時に、前記ユーザ装置の補助情報の報告を制御する必要があると判断することを含む請求項２５に記載のユーザ装置補助情報制御装置。
【請求項２７】
前記設定実行モジュールは、
プリセットされた前記補助情報制御パラメータの送信時点に、前記ユーザ装置に前記補助情報制御パラメータを設定するように設置される第１設定ユニットと、
前記ユーザ装置が送信した補助情報を受信した後、前記ユーザ装置に無線パラメータを再設定しないことを表明する拒否指示を前記ユーザ装置にフィードバックし、前記拒否指示により、前記ユーザ装置に前記補助情報制御パラメータを設定するように設置される第２設定ユニットと、
前記ユーザ装置が送信した補助情報を受信した後、前記ユーザ装置に、再設定された無線パラメータを含む設定情報をフィードバックし、前記設定情報により、前記ユーザ装置に前記補助情報制御パラメータを設定するように設置される第３設定ユニットとを備える請求項２５に記載のユーザ装置補助情報制御装置。
【請求項２８】
前記設定実行モジュールが前記ユーザ装置に前記補助情報制御パラメータを設定することに用いられるベアラ方式は、
システムメッセージにより、前記ユーザ装置に前記補助情報制御パラメータを設定すること、及び／又は、
ＲＲＣ専用シグナリングにより、前記ユーザ装置に前記補助情報制御パラメータを設定すること、及び／又は、
ＭＡＣシグナリングにより、前記ユーザ装置に前記補助情報制御パラメータを設定すること、及び／又は、
ダウンリンク制御チャネルにより、前記ユーザ装置に前記補助情報制御パラメータを設定することである請求項２７に記載のユーザ装置補助情報制御装置。
【請求項２９】
請求項２５〜２８のいずれか一つに記載のユーザ装置補助情報制御装置を備えるネットワーク側アクセスネットワークネットワークエレメント。
【請求項３０】
請求項１６〜２４のいずれか一つに記載のユーザ装置補助情報制御装置を備えるユーザ装置。
【請求項３１】
請求項２９に記載のネットワーク側アクセスネットワークネットワークエレメント及び該ネットワーク側アクセスネットワークネットワークエレメントを経由してネットワークにアクセスされる請求項３０に記載のユーザ装置を備えるユーザ装置補助情報制御システム。
【発明の詳細な説明】
【技術分野】
【０００１】
本発明は無線通信技術分野に関し、特にユーザ装置補助情報制御方法、装置及びシステムに関する。
【背景技術】
【０００２】
人々の生活レベルは徐々に向上することにつれて、人々の通信へのニーズは増やし、そのうち、ほとんどは比較個性的なニーズである。これらのニーズの提案及び実行に伴って、端末の設計も新たな発展傾向−−大画面のインテリジェント端末を現れる。
【０００３】
インテリジェント端末はユーザに、ウェブサーフィンからソフトウェアの自由なインストール及びアンインストールまで、様々なサービスを提供し、端末のアプリケーションサービスをより完備させ、ユーザの生活をよりカラフルにする。しかしながら、インテリジェント端末の幅広い応用に伴って、その自体の短所及び既存のネットワーク側への影響もがますます露出されている。
【０００４】
インテリジェント端末自体に対して、その消費電力が非常に大きく、待機及び使用時間はいずれも比較的限られ、ネットワークに対して、インテリジェント端末の大規模応用はネットワークに大きなシグナリング及びリソース使用圧力をもたらす。上記現象を招く原因は、主に、インテリジェント端末のオペレーティングシステムのフォアグラウンド及びバックグランドには常時に各種のアプリケーションプログラムを実行し、これらのアプリケーションプログラムは不定時にネットワーク側にデータを送信し又はネットワーク側からデータを受信することである。
【０００５】
通常、システムは端末にＤＲＸ（Ｄｉｓｃｏｎｔｉｎｕｏｕｓ  Ｒｅｃｅｐｔｉｏｎ不連続受信）周期を設定し、端末は所定の周期通知でデータを送受信し、その後睡眠周期に入り、このように節電の効果を果たし、ＤＲＸ周期が非常短く設定されたと、端末は頻繁に目覚まし、節電の役割を果たさず、ＤＲＸが非常に長く設定されたと、またデータの遅延時間の増加をもたらす可能性がある。ＤＲＸ周期とデータ到達規律はマッチングしなければ、データ遅延時間を保証するとともに節電性能を達することができない。インテリジェント端末が実行している多くのアプリケーション、例えばＱＱチャットは、遅延時間に対してそんなに敏感ではなく、従って節電及びサービス性能の二つのターゲット中により節電な設定を選択することができる。
【０００６】
さらに、データ送信遅延を減少し、より確実にユーザエクスペリエンスを保証するために、端末が一回のデータの送信又は受信を完成した後、比較的長い時間でＲＲＣ無線リソース制御（Ｒａｄｉｏ  Ｒｅｓｏｕｒｃｅ  Ｃｏｎｔｒｏｌ、ＲＲＣと略称する）接続状態を保持することができるが、このようすると電量の損失を増加する。ところが、電量を節約するために、端末が接続状態を保持する時間長さを比較的短くすると、データを不定時に送受信するので、端末は頻繁にランダムアクセス及びＲＲＣ接続セットアップ過程を開始させる必要があり、端末がＲＲＣ接続状態を保持する時間は比較的長いと、多くの切り替え過程をもたらす可能性があり、このように大幅にネットワーク側のシグナリング圧力及び制御リソースの使用圧力を増加する。
【０００７】
従って、できるだけ長くインテリジェント端末の待機及び使用時間を保持し、同時にネットワークのシグナリング及びリソース使用圧力も考慮するために、インテリジェント端末が一回データの送信又は受信操作を完成した後ＲＲＣ接続状態を保持する時間長を合理的に制御し、すなわち両者のバランス（均衡）点を見つける必要がある。
【０００８】
関連するシミュレーション及び分析に基づいて、インテリジェント端末の移動スピードがＲＲＣ接続状態を保持する重要な決定要素であることは明らかである。動き速度が比較的低い場合、インテリジェント端末は比較的長くＲＲＣ接続状態を保持することができ、このように、端末は合理的な不連続受信機能のパラメータを設定することにより電力損失を低下させることができ、同時に比較的低いシグナリング及びリソースのオーバーヘッド（切り替えの発生確率は非常に低い）を保持することもでき、動き速度が比較的高い場合、インテリジェント端末は比較的短くＲＲＣ接続状態を保持することができ、このように端末は電力損失を節約することができ、同時にシグナリング及びリソースのオーバーヘッド（セルの再選で切り替え操作を代替する）を低下させることもできる。従って、ネットワーク側はインテリジェント端末の移動スピードの関連情報を把握する必要があり、それにより合理的に端末がＲＲＣ接続状態を保持する時間長さを制御する。
【０００９】
従来３ＧＰＰはインテリジェント端末対しての最適化を検討し、従来、確定された最適化措置は、
端末（Ｕｓｅｒ  Ｅｑｕｉｐｍｅｎｔ、ＵＥと略称する）が補助情報を報告することができ、補助情報は、ＵＥがより節電を好むか高性能のソフトウェア使用エクスペリエンスを好むか、ＵＥの移動性情報、ＵＥのデータ伝送間隔等を含み、ネットワーク側は補助情報に基づいてどのようにＵＥの無線パラメータを最適化するかを決定する。
【００１０】
たとえば、ＵＥが補助情報中においてさらに節電したいと、ネットワークは該端末により長いＤＲＸ周期を設定して端末節電に便利性を与える。
【００１１】
しかしながら、従来、３ＧＰＰは検討中において前記ＵＥ補助情報の報告規則が定義されず、制御がない場合、ＵＥが頻繁に補助情報を送信する可能性があり、ＵＥが報告した補助情報はネットワーク側の無線リソース管理に対してすべてが必要なキー情報（たとえば、ＵＥの節電又は性能への好みは必ずしもネットワークに有利ではなく、ＵＥの好みを満たすと、ネットワーク側の負荷を増加する可能性がある）ではなく、必ずしもシステムの無線リソース効率にゲインをもたらさず、従ってＵＥがこれらの補助情報を報告する規則は不適切であると、却ってシステムに多くの付加的なオーバーヘッドをもたらし、システム効率を低下させる。
【発明の概要】
【発明が解決しようとする課題】
【００１２】
本発明の実施例はユーザ装置補助情報制御方法、装置及びシステムを提供しており、ＵＥの補助情報の報告が不適切であることに起因してシステム効率を低下させる問題を解決する。
【課題を解決するための手段】
【００１３】
ユーザ装置補助情報制御方法であって、
ユーザ装置がネットワーク側により設定された補助情報制御パラメータをキャッチすること、
前記ユーザ装置が前記補助情報制御パラメータに従って、ネットワーク側に該ユーザ装置の補助情報を報告することを含む。
【００１４】
好ましくは、前記補助情報制御パラメータは第１デフォルト時間の長さを携帯し、前記ユーザ装置が前記補助情報制御パラメータに従って、ネットワーク側に該ユーザ装置の補助情報を報告することは、前記ユーザ装置が補助情報を送信する必要がある時に、前回の補助情報送信からの間隔が前記第１デフォルト時間の長さを超えるかどうかを判断し、前記間隔が前記第１デフォルト時間の長さを超えた時に、前記ユーザ装置が補助情報を送信し、前記間隔が前記第１デフォルト時間の長さを超えていない時に、前記ユーザ装置が前記補助情報を送信しないことを含む。
【００１５】
好ましくは、前記ユーザ装置は第１タイマーを備え、前記ユーザ装置が前記補助情報制御パラメータに従って、ネットワーク側に該ユーザ装置の補助情報を報告することは、
ユーザ装置が補助情報を送信する時に、前記第１タイマーがクリアして前記第１デフォルト時間の長さに従ってタイミングをリスタートすること、
前記ユーザ装置が補助情報を送信する必要がある時に、前記第１タイマーのタイミング状況を検査し、前記第１タイマーはすでに設定時間が経過したと、前記ユーザ装置が補助情報を送信し、前記第１タイマーはまだ設定時間が経過していないと、前記ユーザ装置が前記補助情報を送信しないことを含む。
【００１６】
好ましくは、前記ユーザ装置が前記補助情報制御パラメータに従って、ネットワーク側に該ユーザ装置の補助情報を報告することは、
前記第１タイマーがタイミングする期間において、前記ユーザ装置がＲＲＣ接続をリリースし又は前記ユーザ装置がその他のセルに移動したと、前記第１タイマーがタイミングを停止することをさらに以下を含む。
【００１７】
好ましくは、前記ユーザ装置が前記補助情報制御パラメータに従って、ネットワーク側に該ユーザ装置の補助情報を報告することは、
前記第１タイマーがタイミングする期間において、前記ユーザ装置がＲＲＣ接続をリリースし又は前記ユーザ装置がその他のセルに移動したと、前記第１タイマーが引き続きタイミングすることをさらに含む。
【００１８】
好ましくは、前記補助情報制御パラメータは第２デフォルト閾値を携帯し、前記ユーザ装置が前記補助情報制御パラメータに従って、ネットワーク側に該ユーザ装置の補助情報を報告することは、前記ユーザ装置がＲＲＣ接続状態にあり且つ補助情報を送信する必要がある時に、前記ユーザ装置自体は今回ＲＲＣ接続状態中において補助情報を送信した回数が第２デフォルト閾値を達し又は超えたかどうかを判断し、前記第２デフォルト閾値を達していない時に、補助情報を送信し、第２デフォルト閾値を達し又は超えた時に、前記補助情報を送信しないことを含む。
【００１９】
好ましくは、前記ユーザ装置は第２カウンターを備え、前記ユーザ装置が前記補助情報制御パラメータに従って、ネットワーク側に該ユーザ装置の補助情報を報告することは、
前記ユーザ装置がＲＲＣ接続セットアップフローをトリガーする時に、前記ユーザ装置が前記第２カウンターを始動しゼロからカウントスタートすること、
前記ユーザ装置が補助情報を送信する必要がある時に、前記第２カウンターのカウント状況を検査し、前記第２カウンターのカウント結果が前記第２デフォルト閾値を達していないと、前記ユーザ装置が補助情報を送信し、前記第２カウンターのカウント結果が前記第２デフォルト閾値を達し又は超えたと、前記ユーザ装置が前記補助情報を送信しないことを含む。
【００２０】
好ましくは、前記ユーザ装置が前記補助情報制御パラメータに従って、ネットワーク側に該ユーザ装置の補助情報を報告することは、
前記ユーザ装置がＲＲＣ接続をセットアップすることは失敗し、又は前記ユーザ装置のＲＲＣ接続はリリースされる時に、前記第２カウンターはカウントを停止することをさらに含む。
【００２１】
好ましくは、前記ユーザ装置が前記補助情報制御パラメータに従って、ネットワーク側に該ユーザ装置の補助情報を報告することは、
前記ユーザ装置が切り替えフローを開始させる時に、前記第２カウンターはカウントを停止することをさらに含む。
【００２２】
好ましくは、前記ユーザ装置が前記補助情報制御パラメータに従って、ネットワーク側に該ユーザ装置の補助情報を報告することは、
前記ユーザ装置が切り替えフローを開始させる時に、前記第２カウンターは引き続きカウントすることをさらに含む。
【００２３】
好ましくは、前記補助情報制御パラメータは第３デフォルト時間の長さ及び第４デフォルト閾値を携帯し、前記ユーザ装置が前記補助情報制御パラメータに従って、ネットワーク側に該ユーザ装置の補助情報を報告することは、前記ユーザ装置が補助情報を送信する必要がある時に、自体が第３デフォルト時間の長さ内において補助情報を送信する回数が前記第４デフォルト閾値を達し又は超えたかどうかを判断し、補助情報を送信する回数が前記第４デフォルト閾値を達していない時に、補助情報を送信し、補助情報を送信する回数が前記第４デフォルト閾値を達し又は超えた時に、補助情報を送信しないことを含む。
【００２４】
好ましくは、前記ユーザ装置は第３タイマー及び第４カウンターを備え、前記ユーザ装置が前記補助情報制御パラメータに従って、ネットワーク側に該ユーザ装置の補助情報を報告することは、
トリガー条件を満たす時に、前記第３タイマーはクリアし、前記第３デフォルト時間の長さに従って改めてタイミングすること、
前記第４カウンターは、前記第３タイマーがクリアし改めてタイミングすると同時に、ゼロからカウントスタートすること、
前記ユーザ装置が補助情報を送信する必要がある時に、前記第４カウンターのカウント状況を検査し、前記第４カウンターのカウント結果が前記第４デフォルト閾値を達していないと前記補助情報を送信し、前記第４カウンターのカウント結果が前記第４デフォルト閾値を達し又は超えたと、前記補助情報を送信しないことを含む。
【００２５】
好ましくは、前記トリガー条件は、
前記第３タイマーが前記第３デフォルト時間の長さに従ってタイミングの設定時間が経過したことを含む。
【００２６】
好ましくは、前記トリガー条件は、
前記ユーザ装置が付着（Ａｔｔａｃｈ）過程を完成し、コアネットワークとの接続をセットアップすること、又は、
前記ユーザ装置がＲＲＣ接続過程を完成し、アクセスネットワークとの接続をセットアップすること、又は、
前記ユーザ装置が始動すること、又は、
前記ユーザ装置がネットワーク側により送信された前記補助情報制御パラメータを携帯する情報を受信すること、又は、
前記ユーザ装置がカスタマイズした、前記第３タイマーを始動してタイミングスタートする時間に到達することをさらに含む。
【００２７】
好ましくは、前記ユーザ装置が前記補助情報制御パラメータに従って、ネットワーク側に該ユーザ装置の補助情報を報告することは、
前記ユーザ装置が切り替えフローを開始させ又はその他のセルを再選した時に、前記第３タイマーがタイミングを停止し、且つ前記第４カウンターがカウントを停止することをさらに含む。
【００２８】
好ましくは、前記ユーザ装置が前記補助情報制御パラメータに従って、ネットワーク側に該ユーザ装置の補助情報を報告することは、
前記ユーザ装置が切り替えフローを開始させ又はその他のセルを再選した時に、前記第３タイマーが引き続きタイミングし、且つ前記第４カウンターが引き続きカウントすることをさらに含む。
【００２９】
好ましくは、前記ユーザ装置がネットワーク側により設定された補助情報制御パラメータをキャッチすることは具体的に、
前記ユーザ装置はシステムメッセージによりネットワーク側が該ユーザ装置に設定した前記補助情報制御パラメータを受け入れること、及び／又は、
前記ユーザ装置はＲＲＣ専用シグナリングによりネットワーク側が前記ユーザ装置に設定した前記補助情報制御パラメータを受け入れること、及び／又は、
前記ユーザ装置はＭＡＣシグナリングによりネットワーク側が前記ユーザ装置に設定した前記補助情報制御パラメータを受け入れること、及び／又は、
前記ユーザ装置はダウンリンク制御チャネルによりネットワーク側が前記ユーザ装置に設定した前記補助情報制御パラメータを受け入れることである。
【００３０】
好ましくは、前記ユーザ装置はシステムメッセージによりネットワーク側が該ユーザ装置に設定した前記補助情報制御パラメータを受け入れる時に、該方法は、
前記ユーザ装置がその他のセルに切り替え又は再選した時に、前記ユーザ装置はターゲットセルの放送メッセージを読み込むこと、
前記ターゲットセル放送メッセージ中において前記ユーザ装置が補助情報を送信する補助情報制御パラメータを有すると、前記ユーザ装置は前記放送メッセージ中における補助情報制御パラメータに従って補助情報を送信すること、
前記ターゲットセル放送メッセージ中において前記ユーザ装置が補助情報を送信する補助情報制御パラメータを有しないと、前記ユーザ装置が補助情報の送信を制御しないことをさらに含む。
【００３１】
好ましくは、ネットワーク側はＲＲＣ専用シグナリングにより前記ユーザ装置に前記補助情報制御パラメータを設定し又はネットワーク側はＭＡＣシグナリングにより前記ユーザ装置に前記補助情報制御パラメータを設定する時に、該方法は、
前記ユーザ装置がターゲットセルに切り替え又は再選した後、前記ユーザ装置はソースセルの補助情報制御パラメータをキャンセルし、補助情報の送信を制御しないこと、又は、
前記ユーザ装置がターゲットセルに切り替え又は再選した後、前記ユーザ装置はソースセルの補助情報制御パラメータをキャンセルし、補助情報の送信を制御せず、ターゲットセルが送信した補助情報制御パラメータを受信した後、前記ターゲットセルが送信した補助情報制御パラメータに基づいて補助情報送信を制御すること、又は、
前記ユーザ装置がターゲットセルに切り替え又は再選した後、引き続きソースセルが設定した補助情報制御パラメータに従って補助情報送信を制御すること、又は、
前記ユーザ装置がターゲットセルに切り替え又は再選した後、引き続きソースセルが設定した補助情報制御パラメータに従って補助情報送信を制御し、ターゲットセルが送信した補助情報制御パラメータを受信した後、前記ターゲットセルが送信した補助情報制御パラメータに基づいて補助情報送信を制御することをさらに含む。
【００３２】
本発明の実施例はユーザ装置補助情報制御方法をさらに提供しており、
ネットワーク側は自体負荷状況に基づいて、ユーザ装置の補助情報報告を制御する必要があるかどうかを判断すること、
前記ネットワーク側がユーザ装置の補助情報報告を制御する必要がある時に、前記ユーザ装置に補助情報制御パラメータを設定し、前記補助情報制御パラメータを前記ユーザ装置に送信することを含む。
【００３３】
好ましくは、ネットワーク側は自体負荷状況に基づいて、ユーザ装置の補助情報報告を制御する必要があるかどうかを判断することは、
ネットワーク側は負荷変化がプリセットされた負荷閾値より高い時に、前記ユーザ装置の補助情報報告を制御する必要があると判断することを含む。
【００３４】
好ましくは、前記ネットワーク側がユーザ装置の補助情報報告を制御する必要がある時に、前記ユーザ装置に補助情報制御パラメータを設定することは、
プリセットされた前記補助情報制御パラメータの送信時点に前記ユーザ装置に前記補助情報制御パラメータを設定すること、又は、
ネットワーク側前記ユーザ装置が送信した補助情報を受信した後、前記ユーザ装置に無線パラメータを再設定しないことを表明する拒否指示を前記ユーザ装置にフィードバックし、前記拒否指示により前記ユーザ装置に前記補助情報制御パラメータを設定すること、又は、
ネットワーク側前記ユーザ装置が送信した補助情報を受信した後、前記ユーザ装置に再設定された無線パラメータを携帯している設定情報をフィードバックし、前記設定情報により前記ユーザ装置に前記補助情報制御パラメータを設定することを含む。
【００３５】
好ましくは、前記ユーザ装置に前記補助情報制御パラメータを設定することに用いられるベアラ方式は、
ネットワーク側システムメッセージにより前記ユーザ装置に前記補助情報制御パラメータを設定すること、及び／又は、
ネットワーク側はＲＲＣ専用シグナリングにより前記ユーザ装置に前記補助情報制御パラメータを設定すること、及び／又は、
ネットワーク側はＭＡＣシグナリングにより前記ユーザ装置に前記補助情報制御パラメータを設定すること、及び／又は、
ネットワーク側ダウンリンク制御チャネルにより前記ユーザ装置に前記補助情報制御パラメータを設定することである。
【００３６】
好ましくは、前記補助情報制御パラメータは第１デフォルト時間の長さを携帯し、前記補助情報制御パラメータは、具体的に、前記ユーザ装置が補助情報を送信する必要がある時に、前回の補助情報送信からの間隔が前記第１デフォルト時間の長さを超えるかどうかを判断し、前記間隔が前記第１デフォルト時間の長さを超えた時に、前記ユーザ装置が補助情報を送信し、前記間隔が前記第１デフォルト時間の長さを超えていない時に、前記ユーザ装置が前記補助情報を送信しないものである。
【００３７】
好ましくは、前記補助情報制御パラメータは第２デフォルト閾値を携帯し、前記補助情報制御パラメータは、具体的に、前記ユーザ装置がＲＲＣ接続状態にあり且つ補助情報を送信する必要がある時に、前記ユーザ装置自体は今回ＲＲＣ接続状態中において補助情報を送信した回数が第２デフォルト閾値を達し又は超えたかどうかを判断し、前記の補助情報を送信した回数が前記第２デフォルト閾値を達していない時に、補助情報を送信し、前記の補助情報を送信した回数が第２デフォルト閾値を達し又は超えた時に、前記補助情報を送信しないものである。
【００３８】
好ましくは、前記補助情報制御パラメータは第３デフォルト時間の長さ及び第４デフォルト閾値を携帯し、前記補助情報制御パラメータは、具体的に、前記ユーザ装置が補助情報を送信する必要がある時に、自体が第３デフォルト時間の長さ内において補助情報を送信する回数が前記第４デフォルト閾値を達し又は超えたかどうかを判断し、補助情報を送信する回数が前記第４デフォルト閾値を達していない時に、補助情報を送信し、補助情報を送信する回数が前記第４デフォルト閾値を達し又は超えた時に、補助情報を送信しないものである。
【００３９】
本発明の実施例は、応用設定に応用されるユーザ装置補助情報制御装置を提供しており、
ネットワーク側が設定した補助情報制御パラメータをキャッチするように設置されるパラメータキャッチモジュール、
前記補助情報制御パラメータに従って、ネットワーク側に該ユーザ装置の補助情報を報告するように設置される補助情報報告モジュールを備える。
【００４０】
好ましくは、前記補助情報制御パラメータは第１デフォルト時間の長さを携帯し、前記補助情報報告モジュールは、前記補助情報制御パラメータに従って、ネットワーク側に該ユーザ装置の補助情報を報告するように設置され、前記ユーザ装置が補助情報を送信する必要がある時に、前回の補助情報送信からの間隔が前記第１デフォルト時間の長さを超えるかどうかを判断し、前記間隔が前記第１デフォルト時間の長さを超えた時に、補助情報を送信し、前記間隔が前記第１デフォルト時間の長さを超えていない時に、前記補助情報を送信しないことを含み、前記補助情報報告モジュールは、
前記ユーザ装置が補助情報を送信した時に、クリアして前記第１デフォルト時間の長さに従って改めてタイミングスタートするように設置される第１タイマー、
補助情報を送信する必要がある時に、前記第１タイマーのタイミング状況を検査し、前記第１タイマーはすでに設定時間が経過したと、前記ユーザ装置が補助情報を送信し、前記第１タイマーはまだ設定時間が経過していないと、前記ユーザ装置が前記補助情報を送信しないように設置される第１判断ユニットを備える。
【００４１】
好ましくは、前記第１タイマーは、前記ユーザ装置がＲＲＣ接続をリリースし又は前記ユーザ装置がその他のセルに移動した時に、タイミングを停止するようにさらに設置される。
【００４２】
好ましくは、前記第１タイマーは、前記ユーザ装置がＲＲＣ接続をリリースし又は前記ユーザ装置がその他のセルに移動した時に、引き続きタイミングするようにさらに設置される。
【００４３】
好ましくは、前記補助情報制御パラメータは第２デフォルト閾値を携帯し、前記補助情報報告モジュールは、前記補助情報制御パラメータに従って、ネットワーク側に該ユーザ装置の補助情報を報告するように設置され、前記ユーザ装置がＲＲＣ接続状態にあり且つ補助情報を送信する必要がある時に、前記ユーザ装置は今回ＲＲＣ接続状態中において補助情報を送信した回数が第２デフォルト閾値を達し又は超えたかどうかを判断し、前記第２デフォルト閾値を達していない時に、補助情報を送信し、第２デフォルト閾値を達し又は超えた時に、前記補助情報を送信しないことを含み、前記補助情報報告モジュールは、
前記ユーザ装置がＲＲＣ接続セットアップフローをトリガーする時に、ゼロからカウントスタートするように設置される第２カウンター、
補助情報を送信する必要がある時に、前記第２カウンターのカウント状況を検査し、前記第２カウンターのカウント結果が前記第２デフォルト閾値を達していないと、前記ユーザ装置が補助情報を送信し、前記第２カウンターのカウント結果が前記第２デフォルト閾値を達し又は超えたと、前記ユーザ装置が前記補助情報を送信しないように設置される第２判断ユニット第２判断ユニットを備える。
【００４４】
好ましくは、前記第２カウンターは、前記ユーザ装置がＲＲＣ接続をセットアップすることは失敗し、又は前記ユーザ装置のＲＲＣ接続がリリースされる時に、カウントを停止するようにさらに設置される。
【００４５】
好ましくは、前記第２カウンターは、前記ユーザ装置が切り替えフローを開始させる時に、カウントを停止するようにさらに設置される。
【００４６】
好ましくは、前記第２カウンターは、前記ユーザ装置が切り替えフローを開始させる時に、引き続きカウントするようにさらに設置される。
【００４７】
好ましくは、前記補助情報制御パラメータは第３デフォルト時間の長さ及び第４デフォルト閾値を携帯し、前記補助情報報告モジュールは、前記補助情報制御パラメータに従って、ネットワーク側に該ユーザ装置の補助情報を報告するように設置され、補助情報を送信する必要がある時に、前記ユーザ装置は第３デフォルト時間の長さ内において補助情報を送信する回数が前記第４デフォルト閾値を達し又は超えたかどうかを判断し、補助情報を送信する回数が前記第４デフォルト閾値を達していない時に、補助情報を送信し、補助情報を送信する回数が前記第４デフォルト閾値を達し又は超えた時に、補助情報を送信しないことを含み、前記補助情報報告モジュールは、
トリガー条件を満たす時にクリアし、前記第３デフォルト時間の長さに従って改めてタイミングし、前記トリガー条件は、前記第３タイマーが前記第３デフォルト時間の長さに従ってタイミングの設定時間が経過したこと及び／又は、
前記ユーザ装置がＡｔｔａｃｈ過程を完成しコアネットワークとの接続をセットアップすること、前記ユーザ装置がＲＲＣ接続過程を完成しアクセスネットワークとの接続をセットアップすること、前記ユーザ装置が始動すること、前記ユーザ装置がネットワーク側により送信された前記補助情報制御パラメータを携帯する情報を受信すること、前記ユーザ装置がカスタマイズした、前記第３タイマーを始動してタイミングスタートする時間に到達することのイベントのいずれか一つ又は任意複数を含むように設置される第３タイマー、
前記第３タイマーがクリアして改めてタイミングすると同時に、ゼロからカウントスタートするように設置される前記第４カウンター、
補助情報を送信する必要がある時に、前記第４カウンターのカウント状況を検査し、前記第４カウンターのカウント結果が前記第４デフォルト閾値を達していないと前記補助情報を送信し、前記第４カウンターのカウント結果が前記第４デフォルト閾値を達し又は超えたと、前記補助情報を送信しないように設置される第３判断ユニットを備える。
【００４８】
好ましくは、前記第３タイマーは、前記ユーザ装置が切り替えフローを開始させ又はその他のセルを再選した時に、タイミングを停止するようにさらに設置され、
前記第４カウンターは、前記第３タイマーがタイミングを停止する時に、カウントを停止するようにさらに設置される。
【００４９】
好ましくは、前記第３タイマーは、前記ユーザ装置が切り替えフローを開始させ又はその他のセルを再選した時に、引き続きタイミングするようにさらに設置され、
前記第４カウンターは、前記ユーザ装置が切り替えフローを開始させ又はその他のセルを再選した時に、引き続きカウントするようにさらに設置される。
【００５０】
好ましくは、前記ネットワーク側が設定した補助情報制御パラメータをキャッチするように設置されるパラメータキャッチモジュールは、
システムメッセージによりネットワーク側が該ユーザ装置に設定した前記補助情報制御パラメータを受け入れること、及び／又は、
ＲＲＣ専用シグナリングによりネットワーク側が前記ユーザ装置に設定した前記補助情報制御パラメータを受け入れること、及び／又は、
ＭＡＣシグナリングによりネットワーク側が前記ユーザ装置に設定した前記補助情報制御パラメータを受け入れること、及び／又は、
ダウンリンク制御チャネルによりネットワーク側が前記ユーザ装置に設定した前記補助情報制御パラメータを受け入れることを含む。
【００５１】
本発明の実施例は、ネットワーク側に応用されるユーザ装置補助情報制御装置をさらに提供しており、
ネットワーク側負荷状況に基づいて、ユーザ装置の補助情報報告を制御する必要があるかどうかを判断するように設置される制御始動モジュール、
前記制御始動モジュールがユーザ装置の補助情報報告を制御する必要があると判断した時に、前記ユーザ装置に補助情報制御パラメータを設定するように設置される設定実行モジュール、
前記補助情報制御パラメータを前記ユーザ装置に送信するように設置される送信モジュールを備える。
【００５２】
好ましくは、前記制御始動モジュールは、ネットワーク側が自体負荷状況に基づいて、ユーザ装置の補助情報報告を制御する必要があるかどうかを判断するように設置され、
負荷変化がプリセットされた負荷閾値より高い時に、前記ユーザ装置の補助情報報告を制御する必要があると判断することを含む。
【００５３】
好ましくは、前記設定実行モジュールは、
プリセットされた前記補助情報制御パラメータの送信時点に前記ユーザ装置に前記補助情報制御パラメータを設定するように設置される第１設定ユニット、
前記ユーザ装置が送信した補助情報を受信した後、前記ユーザ装置に無線パラメータを再設定しないことを表明する拒否指示を前記ユーザ装置にフィードバックし、前記拒否指示により前記ユーザ装置に前記補助情報制御パラメータを設定するように設置される第２設定ユニット、
前記ユーザ装置が送信した補助情報を受信した後、前記ユーザ装置に再設定された無線パラメータを携帯している設定情報をフィードバックし、前記設定情報により前記ユーザ装置に前記補助情報制御パラメータを設定するように設置される第３設定ユニットを備える。
【００５４】
好ましくは、前記設定実行モジュールが前記ユーザ装置に前記補助情報制御パラメータを設定することに用いられるベアラ方式は、
システムメッセージにより前記ユーザ装置に前記補助情報制御パラメータを設定すること、及び／又は、
ＲＲＣ専用シグナリングにより前記ユーザ装置に前記補助情報制御パラメータを設定すること、及び／又は、
ＭＡＣシグナリングにより前記ユーザ装置に前記補助情報制御パラメータを設定すること、及び／又は、
ダウンリンク制御チャネルにより前記ユーザ装置に前記補助情報制御パラメータを設定することを含む。
【００５５】
好ましくは、前記補助情報制御パラメータは第１デフォルト時間の長さを携帯し、前記補助情報報告モジュールは、前記補助情報制御パラメータに従って、ネットワーク側に該ユーザ装置の補助情報を報告するように設置され、補助情報を送信する必要がある時に、前回の補助情報送信からの間隔が前記第１デフォルト時間の長さを超えるかどうかを判断し、前記間隔が前記第１デフォルト時間の長さを超えた時に、補助情報を送信し、前記間隔が前記第１デフォルト時間の長さを超えていない時に、前記補助情報を送信しないことを含み、及び／又は、
前記補助情報制御パラメータは第２デフォルト閾値を携帯し、前記補助情報報告モジュールは、前記補助情報制御パラメータに従って、ネットワーク側に該ユーザ装置の補助情報を報告するように設置され、前記ユーザ装置は今回ＲＲＣ接続状態中において補助情報を送信した回数が第２デフォルト閾値を達し又は超えたかどうかを判断し、前記第２デフォルト閾値を達していない時に、補助情報を送信し、第２デフォルト閾値を達し又は超えた時に、前記補助情報を送信しないことを含み、及び／又は、
前記補助情報制御パラメータは第３デフォルト時間の長さ及び第４デフォルト閾値を携帯し、前記補助情報報告モジュールは、前記補助情報制御パラメータに従って、ネットワーク側に該ユーザ装置の補助情報を報告するように設置され、補助情報を送信する必要がある時に、前記ユーザ装置は第３デフォルト時間の長さ内において補助情報を送信する回数が前記第４デフォルト閾値を達し又は超えたかどうかを判断し、補助情報を送信する回数が前記第４デフォルト閾値を達していない時に、補助情報を送信し、補助情報を送信する回数が前記第４デフォルト閾値を達し又は超えた時に、補助情報を送信しないことを含む。
【００５６】
本発明の実施例は、ユーザ装置補助情報制御システムを更に提供しており、ネットワーク側アクセスネットワークネットワークエレメント及び該ネットワーク側アクセスネットワークネットワークエレメントを経由してネットワークにアクセスされるユーザ装置を備え、
前記ネットワーク側アクセスネットワークネットワークエレメントは、自体負荷状況に基づいて、ユーザ装置の補助情報報告を制御する必要があるかどうかを判断し、且つユーザ装置の補助情報報告を制御する必要があると判断した時に、前記ユーザ装置に補助情報制御パラメータを設定するように設置され、
前記ユーザ装置は、前記ネットワーク側アクセスネットワークネットワークエレメントが設定した補助情報制御パラメータをキャッチし、前記補助情報制御パラメータに従って、前記ネットワーク側アクセスネットワークネットワークエレメントに該ユーザ装置の補助情報を報告するように設置される。
【００５７】
好ましくは、前記ネットワーク側アクセスネットワークネットワークエレメントは、上述したネットワーク側に応用されるユーザ装置補助情報制御装置を備え、
前記ユーザ装置は、上述したユーザ装置に応用されるユーザ装置補助情報制御装置を備える。
【発明の効果】
【００５８】
本発明の実施例はユーザ装置補助情報制御方法、装置及びシステムを提供しており、ネットワーク側とユーザ装置は前記ユーザ装置が該ユーザ装置の補助情報を報告する補助情報制御パラメータを約束し、前記ユーザ装置が前記補助情報制御パラメータに従って、ネットワーク側に該ユーザ装置の補助情報を報告し、それにより、ユーザ装置がネットワーク側との約束に従って補助情報を報告することを達成し、ＵＥが頻繁に補助情報を送信することを避け、ＵＥの補助情報の報告が不適切であることに起因してシステム効率を低下させる問題を解決する。
【図面の簡単な説明】
【００５９】
【図１】図１は本発明の実施例一によるユーザ装置補助情報制御方法のフローチャートである。
【図２】図２は本発明の実施例一におけるＭＡＣ  ＰＤＵの構造模式図である。
【図３】図３は本発明の実施例一によるＭＡＣ  ＣＥ構造模式図である。
【図４】図４は本発明の実施例二によるユーザ装置補助情報制御装置の構造模式図である。
【図５】図５は本発明の実施例三によるユーザ装置補助情報制御装置の構造模式図である。
【図６】図６は本発明の実施例四によるユーザ装置補助情報制御装置の構造模式図である。
【図７】図７は本発明の実施例五によるユーザ装置補助情報制御装置の構造模式図である。
【図８】図８は本発明の実施例六によるユーザ装置補助情報制御システムの構造模式図である。
【発明を実施するための形態】
【００６０】
従来、３ＧＰＰは検討中において前記ＵＥ補助情報の報告規則が定義されず、制御がない場合、ＵＥが頻繁に補助情報を送信する可能性があり、ＵＥが報告した補助情報はネットワーク側の無線リソース管理に対してすべてが必要なキー情報（たとえば、ＵＥの節電又は性能への好みは必ずしもネットワークに有利ではなく、ＵＥの好みを満たすと、ネットワーク側の負荷を増加する可能性がある）ではなく、必ずしもシステムの無線リソース効率にゲインをもたらさず、従ってＵＥがこれらの補助情報を報告する規則は不適切であると、却ってシステムに多くの付加的なオーバーヘッドをもたらし、システム効率を低下させる。
【００６１】
上記問題を解決するために、本発明の実施例はユーザ装置補助情報制御方法、装置及びシステムを提供する。以下、図面を参照しながら、本発明の実施例を詳細に説明する。ただし、衝突がない場合、本願における実施例及び実施例における特徴は互いに任意に組み合せることができる。
【００６２】
まず、図面を参照しながら、本発明の実施例一を説明する。
【００６３】
本発明の実施例はユーザ装置補助情報制御方法を提供しており、ネットワーク側機能がｅＮＢにより完成され、ユーザ装置が具体的にＵＥであるとことを例として説明し、該方法でＵＥの補助情報送信を制御するフローは図１に示すように、ステップ１００〜ステップ１０３を含む。
【００６４】
ステップ１００：ネットワーク側は自体負荷状況に基づいて、ＵＥの補助情報報告を制御する必要があるかどうかを判断する。
【００６５】
ネットワーク側は自体の負荷状況に基づいて、ＵＥの補助情報送信を制御するかを判断し、ネットワーク側は制御する必要がないと考えると、ネットワーク側はＵＥに補助情報制御パラメータを送信する必要がなく、ネットワーク側は負荷が重く、ＵＥを制御する必要があるいと考えると、ネットワーク側は補助情報制御パラメータを送信し、ＵＥとともに補助情報制御パラメータを約束するフローを開始させる。
【００６６】
ステップ１０１：前記ネットワーク側はＵＥの補助情報報告を制御する必要があると判断した時に、前記ＵＥに補助情報制御パラメータを設定する。
【００６７】
本ステップは具体的に以下の三種の実現方式を含む。
【００６８】
１、ネットワーク側はプリセットされた前記補助情報制御パラメータ送信時点に基づいて前記ＵＥとの前記補助情報制御パラメータの約束を開始させる。
【００６９】
２、ネットワーク側は負荷変化がプリセットされた負荷閾値より高い時に前記ＵＥとの前記補助情報制御パラメータの約束を開始させる。
【００７０】
ネットワーク側はいつ補助情報制御パラメータを設定するかについて、理由の一つはネットワーク側の負荷変化状況に決められ、負荷がある一つの限界（該限界は異なるメーカの製品の性能の相違により異なる）より高い時に、ネットワーク側はＵＥの補助情報の送信の制御を決定し、且つ前記補助情報制御パラメータを設定することができる。
【００７１】
３、ネットワーク側は前記ＵＥが送信した補助情報を受信した後、前記ＵＥに前記ＵＥに無線パラメータを再設定しないことを表明する拒否指示をフィードバックし、又は前記ＵＥに再設定した無線パラメータを携帯している設定情報をフィードバックし、前記拒否指示又は設定情報中に前記補助情報制御パラメータを携帯し、前記ＵＥとの前記補助情報制御パラメータの約束を開始させる。
【００７２】
ネットワーク側はＵＥの補助情報を受信した後、負荷の原因でＵＥの補助情報に基づいてＵＥに無線パラメータを再設定したくないと、ネットワーク側は拒否指示をフィードバックすることができ、同時に、前記補助情報制御パラメータを拒否指示とともにＵＥに送信することができ、このようにシグナリングオーバーヘッドを節約することができる。
【００７３】
又はネットワーク側はＵＥの補助情報を受信した後、ネットワーク側はＵＥの補助情報に基づいてＵＥに無線パラメータを再設定すると確定したと、ネットワーク側は前記補助情報制御パラメータと再設定した無線パラメータを設定情報によりともにＵＥに送信することができ、シグナリングオーバーヘッドを節約することもできる。
【００７４】
ステップ１０２：ＵＥはネットワーク側が設定した補助情報制御パラメータをキャッチする。
【００７５】
前記補助情報制御パラメータの具体的な内容はネットワーク状況及び応用必要に応じて設定することができ、以下、複数種の補助情報制御パラメータの具体的な内容示例が挙げられる。
【００７６】
１、前記補助情報制御パラメータは第１デフォルト時間の長さを携帯し、前記ユーザ装置が前記補助情報制御パラメータに従って、ネットワーク側に該ユーザ装置の補助情報を報告することは、前記ＵＥ補助情報を送信する必要がある時に、前回の補助情報送信からの間隔が前記第１デフォルト時間の長さを超えるかどうかを判断し、前記間隔が前記第１デフォルト時間の長さを超えた時に前記ＵＥ補助情報を送信し、前記間隔が前記第１デフォルト時間の長さを超えていない時に、前記ＵＥ前記補助情報を送信しないことを含む。
【００７７】
２、前記補助情報制御パラメータは第２デフォルト閾値を携帯し、前記ユーザ装置が前記補助情報制御パラメータに従って、ネットワーク側に該ユーザ装置の補助情報を報告することは、前記ＵＥがＲＲＣ接続状態にあり且つ補助情報を送信する必要がある時に、前記ＵＥは自分が今回ＲＲＣ接続状態中に補助情報を送信した回数が第２デフォルト閾値を達し又は超えたかどうかを判断し、前記の補助情報を送信した回数が前記第２デフォルト閾値を達していない時に、補助情報を送信し、前記の補助情報を送信した回数が第２デフォルト閾値を達し又は超えた時に、前記補助情報を送信しないことを含む。
【００７８】
３、前記補助情報制御パラメータは第３デフォルト時間の長さ及び第４デフォルト閾値を携帯し、前記ユーザ装置が前記補助情報制御パラメータに従って、ネットワーク側に該ユーザ装置の補助情報を報告することは、前記ＵＥが補助情報を送信する必要がある時に、自体が第３デフォルト時間の長さ内において補助情報を送信する回数が前記第４デフォルト閾値を達し又は超えたかどうかを判断し、補助情報を送信する回数が前記第４デフォルト閾値を達していない時に、補助情報を送信し、補助情報を送信する回数が前記第４デフォルト閾値を達し又は超えた時に、補助情報を送信しないことを含む。
【００７９】
本ステップ中において、補助情報制御パラメータはネットワーク側がメッセージ又はシグナリングによりＵＥに送信してもよく、ネットワーク側とＵＥが事前に約束してもよく、具体的な実現方式は以下のとおりである。
【００８０】
１、ネットワーク側はシステムメッセージにより前記ＵＥに前記補助情報制御パラメータを設定する。
【００８１】
前記システムメッセージは具体的にシステム放送メッセージであり、たとえば、システムメッセージブロック２（ＳｙｓｔｅｍＩｎｆｏｒｍａｔｉｏｎＢｌｏｃｋ２、ＳＩＢ２）中に新たなＩＥを増加して前記ＵＥ補助情報制御パラメータをキャリアすることができる。
【００８２】
以下の実施示例が挙げられる。
【００８３】
ＳｙｓｔｅｍＩｎｆｏｒｍａｔｉｏｎＢｌｏｃｋＴｙｐｅ２  ：：＝ＳＥＱＵＥＮＣＥ  ｛
ａｃ−ＢａｒｒｉｎｇＩｎｆｏ  ＳＥＱＵＥＮＣＥ  ｛
ａｃ−ＢａｒｒｉｎｇＦｏｒＥｍｅｒｇｅｎｃｙ  ＢＯＯＬＥＡＮ，
ａｃ−ＢａｒｒｉｎｇＦｏｒＭＯ−Ｓｉｇｎａｌｌｉｎｇ  ＡＣ−ＢａｒｒｉｎｇＣｏｎｆｉｇ  ＯＰＴＩＯＮＡＬ，−−  Ｎｅｅｄ  ＯＰ
ａｃ−ＢａｒｒｉｎｇＦｏｒＭＯ−Ｄａｔａ  ＡＣ−ＢａｒｒｉｎｇＣｏｎｆｉｇ    ＯＰＴＩＯＮＡＬ  −−  Ｎｅｅｄ  ＯＰ
｝  ＯＰＴＩＯＮＡＬ，      −−  Ｎｅｅｄ  ＯＰ
ｒａｄｉｏＲｅｓｏｕｒｃｅＣｏｎｆｉｇＣｏｍｍｏｎ  ＲａｄｉｏＲｅｓｏｕｒｃｅＣｏｎｆｉｇＣｏｍｍｏｎＳＩＢ，
ｕｅ−ＴｉｍｅｒｓＡｎｄＣｏｎｓｔａｎｔｓ  ＵＥ−ＴｉｍｅｒｓＡｎｄＣｏｎｓｔａｎｔｓ，
ｆｒｅｑＩｎｆｏ  ＳＥＱＵＥＮＣＥ  ｛
ｕｌ−ＣａｒｒｉｅｒＦｒｅｑ  ＡＲＦＣＮ−ＶａｌｕｅＥＵＴＲＡ  ＯＰＴＩＯＮＡＬ，  −−  Ｎｅｅｄ  ＯＰ
ｕｌ−Ｂａｎｄｗｉｄｔｈ  ＥＮＵＭＥＲＡＴＥＤ  ｛ｎ６，  ｎ１５，  ｎ２５，  ｎ５０，  ｎ７５，  ｎ１００｝
ＯＰＴＩＯＮＡＬ，      −−  Ｎｅｅｄ  ＯＰ
ａｄｄｉｔｉｏｎａｌＳｐｅｃｔｒｕｍＥｍｉｓｓｉｏｎ  ＡｄｄｉｔｉｏｎａｌＳｐｅｃｔｒｕｍＥｍｉｓｓｉｏｎ
｝，
ｍｂｓｆｎ−ＳｕｂｆｒａｍｅＣｏｎｆｉｇＬｉｓｔ      ＭＢＳＦＮ−ＳｕｂｆｒａｍｅＣｏｎｆｉｇＬｉｓｔ  ＯＰＴＩＯＮＡＬ，        −−  Ｎｅｅｄ  ＯＲ
ｔｉｍｅＡｌｉｇｎｍｅｎｔＴｉｍｅｒＣｏｍｍｏｎ      ＴｉｍｅＡｌｉｇｎｍｅｎｔＴｉｍｅｒ，
．．．，
ｌａｔｅＮｏｎＣｒｉｔｉｃａｌＥｘｔｅｎｓｉｏｎ      ＯＣＴＥＴ  ＳＴＲＩＮＧ    ＯＰＴＩＯＮＡＬ，      −−  Ｎｅｅｄ  ＯＰ
［［      ｓｓａｃ−ＢａｒｒｉｎｇＦｏｒＭＭＴＥＬ−Ｖｏｉｃｅ−ｒ９  ＡＣ−ＢａｒｒｉｎｇＣｏｎｆｉｇ  ＯＰＴＩＯＮＡＬ，  −−  Ｎｅｅｄ  ＯＰ
ｓｓａｃ−ＢａｒｒｉｎｇＦｏｒＭＭＴＥＬ−Ｖｉｄｅｏ−ｒ９  ＡＣ−ＢａｒｒｉｎｇＣｏｎｆｉｇ  ＯＰＴＩＯＮＡＬ  −−  Ｎｅｅｄ  ＯＰ
］］，
［［      ａｃ−ＢａｒｒｉｎｇＦｏｒＣＳＦＢ−ｒ１０  ＡＣ−ＢａｒｒｉｎｇＣｏｎｆｉｇ  ＯＰＴＩＯＮＡＬ  −−  Ｎｅｅｄ  ＯＰ
］］
ｕｅ−ＡｓｓｉｓｔａｎｔＩｎｆｏＣｏｎｔｒｏｌ        ＵＥ−ＡｓｓｉｓｔａｎｔＩｎｆｏＣｏｎｔｒｏｌ−ＩＥ  ＯＰＴＩＯＮＡＬ  −−  Ｎｅｅｄ  ＯＰ
｝
ＵＥ−ＡｓｓｉｓｔａｎｔＩｎｆｏＣｏｎｔｒｏｌ−ＩＥ  ：：＝  ＳＥＱＵＥＮＣＥ  ｛
Ｔｈｒｅｓｈｏｌｄ−１  ＥＮＵＭＥＲＡＴＥＤ  ｛
ｓ００，  ｓ１０，  ｓ２０，  ｓ４０，
ｓ６０，  ｓ８０，  ｓ１００，ｓ２００，ｓ４００，ｓ８００｝，
｝
以上は従来のＬＴＥプロトコルのＳＩＢ２の疑似コード中に第１デフォルト閾値を増加する一例であり、すなわち、ＳＩＢ２中に一つのＩＥ  ｕｅ−ＡｓｓｉｓｔａｎｔＩｎｆｏＣｏｎｔｒｏｌを新たに増加して第１デフォルト閾値をキャリアすることに用いる。上記ｓ００、ｓ１０、ｓ２０はそれぞれ０秒、１０秒、２０秒を代表し、これによって類推する。
【００８４】
同じ方法は第２デフォルト閾値、又は第３デフォルト時間の長さ、又は第４デフォルト閾値の設定に応用することもできる。
【００８５】
従来のＳＩＢ中にＩＥを増加するほか、新たなＳＩＢを、たとえばＳＩＢ１５定義して前記ＵＥ補助情報制御パラメータをキャリアしてもよい。
【００８６】
２、ネットワーク側はＲＲＣ専用シグナリングにより前記ＵＥに前記補助情報制御パラメータを設定する。
【００８７】
たとえば、従来のＲＲＣシグナリング中にＩＥを新たに増加してＵＥ補助情報制御パラメータをキャリアしてもよく、又は新たなＲＲＣシグナリングを定義してＵＥ補助情報制御パラメータをキャリアしてもよい。
【００８８】
以下、従来のＲＲＣシグナリング中にＩＥを新たに増加することを例として挙げる。
【００８９】
ＲＲＣ接続セットアップ（ＲＲＣＣｏｎｎｅｃｔｉｏｎＳｅｔｕｐ）、セキュリティモードコマンド（ＳｅｃｕｒｉｔｙＭｏｄｅＣｏｍｍａｎｄ）、ＲＲＣ接続再設定（Ｒ  ＲＣＣｏｎｎｅｃｔｉｏｎＲｅｃｏｎｆｉｇｕｒａｔｉｏｎ）、ＲＲＣ接続再セットアップ（ＲＲＣＣｏｎｎｅｃｔｉｏｎＲｅｅｓｔａｂｌｉｓｈｍｅｎｔ）、ＲＲＣ接続再セットアップ拒否（ＲＲＣＣｏｎｎｅｃｔｉｏｎＲｅｅｓｔａｂｌｉｓｈｍｅｎｔＲｅｊｅｃｔ）、ＲＲＣ接続拒否（ＲＲＣＣｏｎｎｅｃｔｉｏｎＲｅｊｅｃｔ）、ＲＲＣ接続リリース（ＲＲＣＣｏｎｎｅｃｔｉｏｎＲｅｌｅａｓｅ）、ＵＥ能力問い合わせ（ＵＥＣａｐａｂｉｌｉｔｙＥｎｑｕｉｒｙ）、ＵＥ情報要求（ＵＥＩｎｆｏｒｍａｔｉｏｎＲｅｑｕｅｓｔ）中にＩＥを増加してＵＥ補助情報制御パラメータをキャリアし、ＩＥの設計方式は以上のＳＩＢ２の疑似コード実例を参照してもよい。
【００９０】
３、ネットワーク側はＭＡＣシグナリングにより前記ＵＥに前記補助情報制御パラメータを設定する。
【００９１】
ＬＴＥ  ＭＡＣ層プロトコル標準中に定義されたＭＡＣ  ＰＤＵは図２に示すように、
ＭＡＣ  ＰＤＵはＭＡＣヘッダー、ＭＡＣ  ＣＥ、ＭＡＣ  ＳＤＵからなり、そのうちＭＡＣ  ＳＤＵはデータ又はシグナリングをキャリアすることに用いられ、一つのＭＡＣ  ＰＤＵは０又は複数のＭＡＣ  ＳＤＵ（すなわち、ヌルパケットを伝送する時に、ＭＡＣ  ＰＤＵ中にはＭＡＣ  ＳＤＵがなく、ＭＡＣヘッダー及びＭＡＣ  ＣＥのみを含んでもよい）を含んでもよく、ＭＡＣ  ＣＥはいくつかの無線リソース管理と関連する制御情報（たとえば、従来技術中において、ＵＥキャッシュメモリ内のデータ量を指示するためのＭＡＣ  ＣＥがあり、ＵＥ電力残量を指示するためのＭＡＣ  ＣＥ等もある）を伝達することに用いられ、ＭＡＣヘッダーは複数のＭＡＣサブヘッダーからなり、各ＭＡＣサブヘッダー、ＭＡＣ  ＣＥ及びＭＡＣ  ＳＤＵは一対一であり、対応するＭＡＣ  ＣＥ及びＭＡＣ  ＳＤＵの名称（ＭＡＣサブヘッダー中におけるＬＣＩＤフィールドは対応するＭＡＣ  ＣＥ及びＭＡＣ  ＳＤＵの名称を表すことに用いられる）、長さ等の情報（ＭＡＣサブヘッダー中におけるＬフィールドは対応するＭＡＣ  ＣＥ及びＭＡＣ  ＳＤＵの長さを表すことに用いられる）を指示することに用いられる。
【００９２】
新たなＭＡＣ  ＣＥを定義して、前記ＵＥ補助情報制御パラメータをキャリアし、該ＭＡＣ  ＣＥの構造は図３に示すように、
図中の「Ｒ」は予約ビットを表し、ＵＥの補助情報制御パラメータが一つのバイトより小さいと、図３（ａ）中における定義方法を用いることができ、ＵＥの補助情報制御パラメータが一つのバイトより大きく二つのバイトより小さいと、図３（ｂ）中における定義方法を用いることができ、以上は例に過ぎず、ＵＥの補助情報制御パラメータが二つのバイトより大きいと、類似する定義方式を用いて、定義されたバイト数を増加すればよい。
【００９３】
補助情報制御パラメータＭＡＣ  ＣＥに対応するＬＣＩＤを定義する方法は、以下のとおりである。
【００９４】
従来のＬＴＥＭＡＣ層プロトコルで定義されたダウンリンクＬＣＩＤの定義は下記の表１に示すとおりである。
【００９５】
【表１】
0005980415.tif 000002
【００９６】
中に補助情報制御パラメータＭＡＣ  ＣＥに対応するＬＣＩＤを新たに定義する方法は下記の表２に示すとおりである。
【００９７】
【表２】
0005980415.tif 000003
【００９８】
すなわち、予約番号中において、一つの番号は引き出されてＵＥ補助情報制御パラメータの定義に用いられる。受信端は該ＬＣＩＤを読み込んだ後、対応するＭＡＣ  ＰＤＵ中にＵＥ補助情報制御パラメータＭＡＣ  ＣＥを有することを分かることができ、次に該ＭＡＣ  ＣＥ中におけるＵＥ補助情報制御パラメータを読み取ることができる。
【００９９】
４、ネットワーク側はダウンリンク制御チャネルにより前記ＵＥに前記補助情報制御パラメータを設定する。
【０１００】
ＬＴＥシステム中において、ｅＮＢは物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）によりＵＥに前記ＵＥ補助情報制御パラメータを伝送することができる。
【０１０１】
実施形態は、
従来のＰＤＣＣＨフォーマット中において１種を選択し、その中にフィールドを増加して前記ＵＥ補助情報制御パラメータをキャリアすること、
１種のＰＤＣＣＨフォーマットを新たに定義し、前記ＵＥ補助情報制御パラメータを伝送することに用いられることを含み、
たとえば、
従来のＬＴＥシステム中においてＰＤＣＣＨは複数種のフォーマットがあり、それぞれＵＥ下行リソース割当又は上行リソーススケジューリングを指示することに用いられ、以下、ＰＤＣＣＨ  ｆｏｒｍａｔ  １（フォーマット１）中にＵＥ補助情報制御パラメータを増加することを例として挙げる。
【０１０２】
ＵＥ補助情報制御パラメータを増加したＰＤＣＣＨ  ｆｏｒｍａｔ  １は下記表３に示すとおりである。
【０１０３】
【表３】
0005980415.tif 000004
【０１０４】
そのうち、従来のＬＴＥ標準のＰＤＣＣＨ  ｆｏｒｍａｔ  １端末にＵＥ補助情報制御パラメータを増加し、そのフィールド長さはその定義粒度に従って決められる。
【０１０５】
同様に、従来のＬＴＥ標準のその他ＰＤＣＣＨ  ｆｏｒｍａｔ中にＵＥ補助情報制御パラメータを増加してもよく、方法は以上の例と類似する。
【０１０６】
一つのＰＤＣＣＨ  ｆｏｒｍａｔ、たとえばＰＤＣＣＨ  ｆｏｒｍａｔ  ５を新たに定義してもよく、ＵＥ補助情報制御パラメータをキャリアすること専用する。
【０１０７】
５、ネットワーク側は前記ＵＥに無線パラメータを再設定することを拒否することを指示する拒否指示を、前記補助情報制御パラメータとともに前記ＵＥに送信する。又は、
６、ネットワーク側は前記ＵＥに再設定した無線パラメータを前記補助情報制御パラメータとともに前記ＵＥに送信する。又は、
７、ネットワーク側及び前記ＵＥは補助情報制御パラメータを事前に約束する。
【０１０８】
ＵＥとネットワーク側が補助情報制御パラメータを約束した後、該補助情報制御パラメータに従って補助情報を送信することができ、ステップへ１０２に移行する。
【０１０９】
ステップ１０３：前記ＵＥは前記補助情報制御パラメータに従って、ネットワーク側に該ＵＥの補助情報を報告する。
【０１１０】
本ステップ中において、ステップ１０２の補助情報制御パラメータに対応して、ＵＥは補助情報設定パラメータの内容に基づいて補助情報の報告行い、具体的に以下のように実現される。
【０１１１】
１、（ステップ１０２中の第１種の補助情報制御パラメータの内容に対応する）ＵＥは第１タイマーを備え、ＵＥが補助情報を送信した時に、前記第１タイマーはクリアし、次に前記第１タイマーは前記第１デフォルト時間の長さに従って改めてタイミングし始め、タイミング単位はミリ秒、サブフレーム、秒等であってもよい。ＵＥが補助情報を送信する必要がある時に、前記第１タイマーのタイミング状況を検査し、前記第１タイマーはすでに設定時間が経過した時に、前記ＵＥが補助情報を送信し、前記第１タイマーはまだ設定時間が経過していないと、前記ＵＥ前記補助情報を送信しない。
【０１１２】
この方式はＵＥの補助情報送信のチャンネルに対して長時間統計を行うものであり、ＵＥが頻繁にＲＲＣ接続をセットアップする及びリリースするというシーンに応用され、たとえば、ＵＥがインスタントメッセージングソフトウェア（たとえばＱＱ、ＭＳＮ等）を実行する時に、ＵＥのデータ送信間隔は通常十数又は数十秒であり、この時、ＵＥは送信をデータしない時に、ネットワーク側にＲＲＣ接続をリリースされる可能性があり、ＵＥはデータが到達する時に、更にＲＲＣ接続を再セットアップする必要がある。このシーンに対して、ＵＥの第１タイマーにタイミングを保持させ、より正確に補助情報送信のチャンネルを制御する。
【０１１３】
また、前記第１タイマーがタイミングする期間において、前記ＵＥがＲＲＣ接続をリリースし又は前記ＵＥがその他のセルに移動したと、前記第１タイマーはタイミングを停止してもよい。
【０１１４】
２、（ステップ１０２中の第２種の補助情報制御パラメータの内容に対応する）ＵＥは第２カウンターを備え、前記ＵＥがＲＲＣ接続セットアップフローをトリガーする時に、前記ＵＥは前記第２カウンターを始動してゼロからカウントスタートし、前記ＵＥが補助情報を送信する必要がある時に、前記第２カウンターのカウント状況を検査し、前記第２カウンターのカウント結果が前記第２デフォルト閾値を達していないと、前記ＵＥが補助情報を送信し、前記第２カウンターのカウント結果が前記第２デフォルト閾値を達し又は超えたと、前記ＵＥ前記補助情報を送信しない。
【０１１５】
前記ＵＥがＲＲＣ接続をセットアップすることは失敗し、又は前記ＵＥのＲＲＣ接続がリリースされる時に、前記第２カウンターは引き続きカウントしてもよく、カウントを停止してもよい。
【０１１６】
３、（ステップ１０２中の第３種の補助情報制御パラメータの内容に対応する）ＵＥは第３タイマー及び第４カウンターを備え、トリガー条件を満たす時に、前記第３タイマーはクリアし、前記第３デフォルト時間の長さに従って改めてタイミングし、且つ前記第４カウンターは前記第３タイマーがクリアして改めてタイミングすると同時に、ゼロからカウントスタートし、前記ＵＥが補助情報を送信する必要がある時に、前記第４カウンターのカウント状況を検査し、前記第４カウンターのカウント結果が前記第４デフォルト閾値を達していないと前記補助情報を送信し、前記第４カウンターのカウント結果が前記第４デフォルト閾値を達し又は超えたと、前記補助情報を送信しない。
【０１１７】
前記ＵＥが切り替えフローを開始させ又はその他のセルを再選した時に、前記第３タイマーがタイミングを停止し、前記第４カウンターがカウントを停止し、第３タイマーは引き続きタイミングしてもよく、第４カウンターは引き続きカウントしてもよい。
【０１１８】
本発明の実施例中において、該トリガー条件は、第３タイマーが前記第３デフォルト時間の長さに従ってタイミングの設定時間が経過したことが好ましく、また、以下のいずれか一つ又は任意複数のイベントをトリガー条件として第３タイマーを独立にトリガーしてタイミングさせてもよく、以下のイベントのいずれか一つ又は任意複数を「第３タイマーが前記第３デフォルト時間の長さに従ってタイミングの設定時間が経過した」このイベントと結合してトリガー条件としてよく、トリガー条件とすることができるイベントは、
前記ＵＥが付着（Ａｔｔａｃｈ）過程を完成し、コアネットワークとの接続をセットアップすること、又は、
前記ＵＥがＲＲＣ接続過程を完成し、アクセスネットワークとの接続をセットアップすること、又は、
前記ＵＥが始動すること、又は、
前記ＵＥがネットワーク側により送信された前記補助情報制御パラメータを携帯する情報を受信すること、又は、
前記ＵＥがカスタマイズした始動時間に到達することである。
【０１１９】
ここまで、ＵＥが補助情報制御パラメータに基づいて補助制御情報を送信する一般的なフローは終了する。
【０１２０】
ＵＥのユーザは絶えずに移動するので、ＵＥが切り替えられ又はその他のセルを再選した時に、相応な補助情報送信制御をも必要とする。具体的に、前記ＵＥ補助情報制御パラメータはネットワーク側がシステムメッセージによりＵＥに設定すると、ＵＥは新セル（又はターゲットセルと称される）の放送メッセージを読み込み、新セル放送メッセージ中にＵＥ補助情報制御パラメータを有すると、ＵＥは該ＵＥ補助情報制御パラメータに従って補助情報の送信を制御し、新セル放送メッセージ中にＵＥ補助情報制御パラメータがないと、ＵＥは補助情報の送信を制御せず、ＵＥが切り替えられ又はその他のセルを再選した時に、前記ＵＥ補助情報制御パラメータはネットワーク側がＲＲＣ専用シグナリングによりＵＥに設定すると、又はネットワーク側がＭＡＣシグナリングによりＵＥに設定すると、ＵＥはソースセルがＵＥに設定した補助情報制御パラメータをキャンセルし、ＵＥは新セルが設定した補助情報制御パラメータを受信するまで、ＵＥは新セルにおいて補助情報の送信を制御せず、又はＵＥは引き続きソースセルがＵＥに設定した補助情報制御パラメータに従って補助情報の送信を制御し、ＵＥは新セルが設定した補助情報制御パラメータを受信した後、ＵＥは新セルが設定した補助情報制御パラメータに従って補助情報の送信を制御する。
【０１２１】
ステップ１０２中においてネットワーク側がＵＥに補助情報制御パラメータを設定する方式に基づいて、ＵＥはその他のセル（切り替えされ又はその他のセルを再選したことを含む）に移動した時に、ＵＥ補助情報制御パラメータの設定方式に従って、さらに３種の場合に分けられる。
【０１２２】
場合１：ＵＥ補助情報制御パラメータは放送メッセージによりＵＥに設定されたと、ＵＥはソースセルの放送メッセージ中のＵＥ補助情報制御パラメータに従って補助情報の送信を制御することを停止する。好ましくは、ソースセルの補助情報制御パラメータに従って補助情報送信を制御することを停止した後、ＵＥは新セル（又はターゲットセルと称される）の放送メッセージを読み込み、新セル放送メッセージ中にＵＥ補助情報制御パラメータを有すると、ＵＥは該ＵＥ補助情報制御パラメータに従って補助情報の送信を制御し、新セル放送メッセージ中にＵＥ補助情報制御パラメータがないと、ＵＥは補助情報の送信を制御しない。
【０１２３】
場合２：ＵＥ補助情報制御パラメータはＲＲＣシグナリング又はＭＡＣシグナリングによりＵＥに設定されたと、２種解決方式があり、そのうちの一つを選択することができる。
【０１２４】
方式１：ＵＥはソースセルがＵＥに設定した補助情報制御パラメータをキャンセルし、ＵＥは新セルにおいて補助情報の送信を制御せず、好ましくは、あとでＵＥは新セルが設定した補助情報制御パラメータを受信したと、ＵＥは新セルが設定した補助情報制御パラメータに基づいて補助情報の送信を制御する。
【０１２５】
方式２：ＵＥは引き続きソースセルがＵＥに設定した補助情報制御パラメータに従って補助情報の送信を制御し、好ましくは、ＵＥはあとで新セルが設定した補助情報制御パラメータを受信した後、ＵＥは新セルが設定した補助情報制御パラメータに従って補助情報の送信を制御する。
【０１２６】
場合３：プロトコル標準により固定的なＵＥ補助情報制御パラメータを設定すると、ＵＥは引き続き前記固定的なＵＥ補助情報制御パラメータに従って補助情報の送信を制御する。
【０１２７】
以下、図面を参照しながら、本発明の実施例二を説明する。
【０１２８】
本発明の実施例はユーザ装置補助情報制御装置を提供しており、その構造は図４に示すように、
ネットワーク側が設定した補助情報制御パラメータをキャッチするように設置されるパラメータキャッチモジュール４０１、
前記補助情報制御パラメータに従って、ネットワーク側に該ユーザ装置の補助情報を報告するように設置される補助情報報告モジュール４０２を備える。
【０１２９】
好ましくは、前記補助情報制御パラメータは第１デフォルト時間の長さを携帯し、補助情報報告モジュールは、前記前記補助情報制御パラメータに従って、ネットワーク側に該ユーザ装置の補助情報を報告するように設置され、前記ユーザ装置が補助情報を送信する必要がある時に、前回の補助情報送信からの間隔が前記第１デフォルト時間の長さを超えるかどうかを判断し、前記間隔が前記第１デフォルト時間の長さを超えた時に、前記ユーザ装置が補助情報を送信し、前記間隔が前記第１デフォルト時間の長さを超えていない時に、前記ユーザ装置が前記補助情報を送信しないことを含み、前記補助情報報告モジュール４０２は、
前記ユーザ装置が補助情報を送信した時に、クリアして前記第１デフォルト時間の長さに従って改めてタイミングスタートするように設置される第１タイマー４０２１、
補助情報を送信する必要がある時に、前記第１タイマー５０１のタイミング状況を検査し、前記第１タイマー４０２１はすでに設定時間が経過したと、前記ユーザ装置が補助情報を送信し、前記第１タイマー４０２１はまだ設定時間が経過していないと、前記ユーザ装置が前記補助情報を送信しないように設置される第１判断ユニット４０２２を備える。
【０１３０】
好ましくは、前記第１タイミング４０２１は、前記ユーザ装置がＲＲＣ接続をリリースし又は前記ユーザ装置がその他のセルに移動した時に、タイミングを停止するようにさらに設置される。
【０１３１】
好ましくは、前記第１タイマー４０２１は、前記ユーザ装置がＲＲＣ接続をリリースし又は前記ユーザ装置がその他のセルに移動した時に、引き続きタイミングするようにさらに設置される。
【０１３２】
本発明の実施例は、ユーザ装置の設定情報制御装置はユーザ装置中に集積され、ユーザ装置により対応機能を完了ことができる。好ましくは、本発明の実施例にかかわるユーザ装置はＵＥである。
【０１３３】
以下、図面を参照しながら、本発明の実施例三を説明する。
【０１３４】
本発明の実施例はユーザ装置補助情報制御装置を更に提供しており、その構造は図５に示すように、
ネットワーク側が設定した補助情報制御パラメータをキャッチするように設置されるパラメータキャッチモジュール５０１、
前記補助情報制御パラメータに従って、ネットワーク側に該ユーザ装置の補助情報を報告するように設置される補助情報報告モジュール５０２を備える。
【０１３５】
好ましくは、前記補助情報制御パラメータは第２デフォルト閾値を携帯し、前記補助情報報告モジュールは、前記補助情報制御パラメータに従って、ネットワーク側に該ユーザ装置の補助情報を報告するように設置され、前記ユーザ装置がＲＲＣ接続状態にあり且つ補助情報を送信する必要がある時に、前記ユーザ装置は今回ＲＲＣ接続状態中において補助情報を送信した回数が第２デフォルト閾値を達し又は超えたかどうかを判断し、前記第２デフォルト閾値を達していない時に、補助情報を送信し、第２デフォルト閾値を達し又は超えた時に、前記補助情報を送信しないことを含み、前記補助情報報告モジュール５０２は、
前記ユーザ装置がＲＲＣ接続セットアップフローをトリガーする時に、ゼロからカウントスタートするように設置される第２カウンター５０２１、
補助情報を送信する必要がある時に、前記第２カウンター６０１のカウント状況を検査し、前記第２カウンター５０２１のカウント結果が前記第２デフォルト閾値を達していないと、前記ユーザ装置が補助情報を送信し、前記第２カウンター５０２１のカウント結果が前記第２デフォルト閾値を達し又は超えたと、前記ユーザ装置が前記補助情報を送信しないように設置される第２判断ユニット５０２２を備える。
【０１３６】
好ましくは、前記第２カウンター５０２１は、前記ユーザ装置がＲＲＣ接続をセットアップすることは失敗し、又は前記ユーザ装置のＲＲＣ接続がリリースされる時に、カウントを停止するようにさらに設置される。
【０１３７】
好ましくは、前記第２カウンター５０２１は、前記ユーザ装置が切り替えフローを開始させる時に、カウントを停止するようにさらに設置される。
【０１３８】
好ましくは、前記第２カウンター５０２１は、前記ユーザ装置が切り替えフローを開始させる時に、引き続きカウントするようにさらに設置される。
【０１３９】
本発明の実施例のユーザ装置の設定情報制御装置はユーザ装置中に集積され、ユーザ装置により対応機能を完了ことができる。好ましくは、本発明の実施例にかかわるユーザ装置はＵＥである。
【０１４０】
以下、図面を参照しながら、本発明の実施例四を説明する。
【０１４１】
本発明の実施例はユーザ装置補助情報制御装置を更に提供しており、その構造は図６に示すように、
ネットワーク側が設定した補助情報制御パラメータをキャッチするように設置されるパラメータキャッチモジュール６０１、
前記補助情報制御パラメータに従って、ネットワーク側に該ユーザ装置の補助情報を報告するように設置される補助情報報告モジュール６０２を備える。
【０１４２】
好ましくは、前記補助情報制御パラメータは第３デフォルト時間の長さ及び第４デフォルト閾値を携帯し、前記補助情報報告モジュールは、前記補助情報制御パラメータに従って、ネットワーク側に該ユーザ装置の補助情報を報告するように設置され、前記ユーザ装置が補助情報を送信する必要がある時に、自体が第３デフォルト時間の長さ内において補助情報を送信する回数が前記第４デフォルト閾値を達し又は超えたかどうかを判断し、補助情報を送信する回数が前記第４デフォルト閾値を達していない時に、補助情報を送信し、補助情報を送信する回数が前記第４デフォルト閾値を達し又は超えた時に、補助情報を送信しないことを含み、前記補助情報報告モジュール６０２は、
トリガー条件を満たす時にクリアし、前記第３デフォルト時間の長さに従って改めてタイミングし、前記トリガー条件は、前記第３タイマー６０２１が前記第３デフォルト時間の長さに従ってタイミングの設定時間が経過したこと及び／又は、
前記ユーザ装置がＡｔｔａｃｈ過程を完成しコアネットワークとの接続をセットアップすること、前記ユーザ装置がＲＲＣ接続過程を完成しアクセスネットワークとの接続をセットアップすること、前記ユーザ装置が始動すること、前記ユーザ装置がネットワーク側により送信された前記補助情報制御パラメータを携帯する情報を受信すること、前記ユーザ装置がカスタマイズした、前記第３タイマーを始動してタイミングスタートする時間に到達することのイベントのいずれか一つ又は任意複数を含むように設置される第３タイマー６０２１、
前記第３タイマー６０２１がクリアし改めてタイミングすると同時に、ゼロからカウントスタートするように設置される前記第４カウンター６０２２、
補助情報を送信する必要がある時に、前記第４カウンター６０２２のカウント状況を検査し、前記第４カウンター６０２２のカウント結果が前記第４デフォルト閾値を達していないと、前記補助情報を送信し、前記第４カウンター６０２２のカウント結果が前記第４デフォルト閾値を達し又は超えたと、前記補助情報を送信しないように設置される第３判断ユニット６０２３を備える。
【０１４３】
好ましくは、前記第３タイマー６０２１は、前記ユーザ装置が切り替えフローを開始させ又はその他のセルを再選した時に、タイミングを停止するようにさらに設置され、
前記第４カウンター６０２２は、前記第３タイマー６０２１タイミングを停止する時に、カウントを停止するようにさらに設置される。
【０１４４】
好ましくは、前記第３タイマー６０２１は、前記ユーザ装置が切り替えフローを開始させ又はその他のセルを再選した時に、引き続きタイミングするようにさらに設置され、
前記第４カウンター６０２２は、前記ユーザ装置が切り替えフローを開始させ又はその他のセルを再選した時に、引き続きカウントするようにさらに設置される。
【０１４５】
本発明の実施例のユーザ装置の設定情報制御装置はユーザ装置中に集積され、ユーザ装置により対応機能を完了ことができる。好ましくは、本発明の実施例にかかわるユーザ装置はＵＥである。
【０１４６】
以下、図面を参照しながら、本発明の実施例五を説明する。
【０１４７】
本発明の実施例ネットワーク側に応用されるユーザ装置補助情報制御装置を提供しており、その構造は図７所示に示すように、
ネットワーク側負荷状況に基づいて、ユーザ装置の補助情報報告を制御する必要があるかどうかを判断するように設置される制御始動モジュール７０１、
前記制御始動モジュールがユーザ装置の補助情報報告を制御する必要があると判断した時に、前記ユーザ装置に補助情報制御パラメータを設定するように設置される設定実行モジュール７０２、
前記補助情報制御パラメータを前記ユーザ装置に送信するように設置される送信モジュール７０３を備える。
【０１４８】
好ましくは、前記設定実行モジュール７０２は、
プリセットされた前記補助情報制御パラメータの送信時点に前記ユーザ装置に前記補助情報制御パラメータを設定するように設置される第１設定ユニット７０２１、
前記ユーザ装置が送信した補助情報を受信した後、前記ユーザ装置に無線パラメータを再設定しないことを表明する拒否指示を前記ユーザ装置にフィードバックし、前記拒否指示により前記ユーザ装置に前記補助情報制御パラメータを設定するように設置される第２設定ユニット７０２２、
前記ユーザ装置が送信した補助情報を受信した後、前記ユーザ装置に再設定された無線パラメータを携帯している設定情報をフィードバックするように設置される第３設定ユニット７０２３を備える。
【０１４９】
本発明の実施例によるユーザ装置補助情報制御装置はネットワーク側アクセスネットワークネットワークエレメント中に集積され、ネットワーク側アクセスネットワークネットワークエレメントにより対応機能を完成することができる。好ましくは、前記ネットワーク側アクセスネットワークネットワークエレメントはｅＮＢである。
【０１５０】
以下、図面を参照しながら、本発明の実施例六を説明する。
【０１５１】
本発明の実施例はユーザ装置補助情報制御システムを提供しており、その構造は図８に示すように、
ネットワーク側アクセスネットワークネットワークエレメント８０１及び該ネットワーク側アクセスネットワークネットワークエレメント８０１を経由してネットワークにアクセスされるユーザ装置８０２を備え、
前記ネットワーク側アクセスネットワークネットワークエレメント８０１は、自体負荷状況に基づいて、ユーザ装置８０２の補助情報報告を制御する必要があるかどうかを判断し、ユーザにとって設備８０２の補助情報報告を制御する必要があると判断した時に、前記ユーザ装置８０２に補助情報制御パラメータを設定するように設置され、
前記ユーザ装置８０２は、前記ネットワーク側アクセスネットワークネットワークエレメント８０１が設定した補助情報制御パラメータをキャッチし、前記補助情報制御パラメータに従って、前記ネットワーク側アクセスネットワークネットワークエレメント８０１に該ユーザ装置８０２の補助情報を報告するように設置される。
【０１５２】
好ましくは、前記補助情報制御パラメータは第１デフォルト時間の長さを携帯し、前記補助情報報告モジュールは、前記補助情報制御パラメータに従って、ネットワーク側に該ユーザ装置の補助情報を報告するように設置され、前記ユーザ装置８０２が補助情報を送信する必要がある時に、前回の補助情報送信からの間隔が前記第１デフォルト時間の長さを超えるかどうかを判断し、前記間隔が前記第１デフォルト時間の長さを超えた時に、前記ユーザ装置８０２が補助情報を送信し、前記間隔が前記第１デフォルト時間の長さを超えていない時に、前記ユーザ装置８０２が前記補助情報を送信しないことを含み、前記ユーザ装置８０２は第１タイマー８０２１及び第１判断モジュール８０２２を備え、
前記第１タイマー８０２１は、ユーザ装置８０２が補助情報を送信した時に、クリアして前記第１デフォルト時間の長さに従って改めてタイミングスタートするように設置され、
前記第１判断モジュール８０２２は、補助情報を送信する必要がある時に、前記第１タイマー８０２１のタイミング状況を検査し、前記第１タイマー８０２１はすでに設定時間が経過したと、前記ユーザ装置８０２補助情報を送信すると判断し、前記第１タイマー８０２１はまだ設定時間が経過していないと、判断前記ユーザ装置８０２が前記補助情報を送信しないように設置される。
【０１５３】
好ましくは、前記第１タイマー８０２１は、タイミング期間に前記ユーザ装置８０２がＲＲＣ接続をリリースし又は前記ユーザ装置８０２がその他のセル移動した時に、タイミングを停止するようにさらに設置される。
【０１５４】
好ましくは、前記第１タイマー８０２１は、タイミング期間に前記ユーザ装置８０２がＲＲＣ接続をリリースし又は前記ユーザ装置８０２がその他のセルに移動した時に、引き続きタイミングするようにさらに設置される。
【０１５５】
好ましくは、前記補助情報制御パラメータは第２デフォルト閾値を更に携帯してもよく、前記補助情報報告モジュールは、前記補助情報制御パラメータに従って、ネットワーク側に該ユーザ装置の補助情報を報告するように設置され、前記ユーザ装置８０２がＲＲＣ接続状態にあり且つ補助情報を送信する必要がある時に、前記ユーザ装置８０２は自分が今回ＲＲＣ接続状態中において補助情報を送信した回数が第２デフォルト閾値を達し又は超えたかどうかを判断し、前記の補助情報を送信した回数が前記第２デフォルト閾値を達していない時に、補助情報を送信し、前記の補助情報を送信した回数が第２デフォルト閾値を達し又は超えた時に、前記補助情報を送信しないことを含み、前記ユーザ装置８０２は第２カウンター８０２３及び第２判断モジュール８０２４をさらに備え、
前記第２カウンター８０２３は、前記ユーザ装置８０２がＲＲＣ接続セットアップフローをトリガーする時に、ゼロからカウントスタートするように設置され、
前記第２判断モジュール８０２４は、補助情報を送信する必要がある時に、前記第２カウンター８０２３のカウント状況を検査し、前記第２カウンター８０２３のカウント結果が前記第２デフォルト閾値を達していないと、前記ユーザ装置８０２が補助情報を送信すると判断し、前記第２カウンター８０２３のカウント結果が前記第２デフォルト閾値を達し又は超えたと、前記ユーザ装置８０２が前記補助情報を送信しないと判断するように設置される。
【０１５６】
好ましくは、前記第２判断モジュール８０２４は、前記ユーザ装置８０２がＲＲＣ接続をセットアップすることは失敗し、又は前記ユーザ装置８０２のＲＲＣ接続がリリースされる時に、又は前記ユーザ装置８０２が切り替えフローを開始する時に、カウントを停止するようにさらに設置される。
【０１５７】
好ましくは、前記第２判断モジュール８０２４は、前記ユーザ装置８０２がＲＲＣ接続をセットアップすることは失敗し、又は前記ユーザ装置８０２のＲＲＣ接続がリリースされる時に、又は前記ユーザ装置８０２が切り替えフローを開始する時に、カウントの引き続きを停止するようにさらに設置される。
【０１５８】
好ましくは、前記補助情報制御パラメータは、第３デフォルト時間の長さ及び第４デフォルト閾値を更に携帯し、前記補助情報報告モジュールは、前記補助情報制御パラメータに従って、ネットワーク側に該ユーザ装置の補助情報を報告するように設置され、前記ユーザ装置８０２が補助情報を送信する必要がある時に、自体が第３デフォルト時間の長さ内において補助情報を送信する回数が前記第４デフォルト閾値を達し又は超えたかどうかを判断し、補助情報を送信する回数が前記第４デフォルト閾値を達していない時に、補助情報を送信し、補助情報を送信する回数が前記第４デフォルト閾値を達し又は超えた時に、補助情報を送信しないことを含み、前記ユーザ装置８０２は第３タイマー８０２５、第４カウンター８０２６及び第３判断モジュール８０２７をさらに備え、
前記第３タイマー８０２５は、トリガー条件を満たす時に、クリアし、且つ前記第３デフォルト時間の長さに従って改めてタイミングし、前記トリガー条件は具体的に、前記第３タイマー８０２５が前記第３デフォルト時間の長さに従ってタイミングの設定時間が経過したこと、又は前記ユーザ装置８０２がＡｔｔａｃｈ過程を完成しコアネットワークとの接続をセットアップすること、又は前記ユーザ装置８０２がＲＲＣ接続過程を完成しアクセスネットワークとの接続をセットアップすること、又は前記ユーザ装置８０２が始動すること、又は前記ユーザ装置８０２がネットワーク側により送信された前記補助情報制御パラメータを携帯する情報を受信すること、又は前記ユーザ装置８０２がカスタマイズする始動時間に到達することであるように設置され、
前記第４カウンター８０２６は、前記第３タイマー８０２５がクリアし改めてタイミングすると同時に、ゼロからカウントスタートするように設置され、
前記第３判断モジュール８０２７は、補助情報を送信する必要がある時に、前記第４カウンター８０２６のカウント状況を検査し、前記第４カウンター８０２６のカウント結果が前記第４デフォルト閾値を達していないと、前記補助情報を送信すると判断し、前記第４カウンター８０２６のカウント結果が前記第４デフォルト閾値を達し又は超えたと、前記補助情報を送信しないと判断するように設置される。
【０１５９】
好ましくは、前記第３タイマー８０２５は、前記ユーザ装置８０２が切り替えフローを開始させ又はその他のセルを再選した時に、タイミングを停止するようにさらに設置され、
前記第４カウンター８０２６は、前記ユーザ装置８０２が切り替えフローを開始させ又はその他のセルを再選し且つ前記第３タイマー８０２５がタイミングを停止する時に、カウントを停止するようにさらに設置される。
【０１６０】
好ましくは、前記第３タイマー８０２５は、前記ユーザ装置８０２が切り替えフローを開始させ又はその他のセルを再選した時に、引き続きタイミングするようにさらに設置され、
前記第４カウンター８０２６、は前記ユーザ装置８０２が切り替えフローを開始させ又はその他のセルを再選した時に、引き続きカウントするようにさらに設置される。
【０１６１】
本発明の実施例におけるユーザ装置は具体的にＵＥであり、本発明の実施例二〜四のいずれか一つによるユーザ装置補助情報制御装置の機能を有し、本発明の実施例中におけるネットワーク側アクセスネットワークネットワークエレメントは具体的にｅＮＢであり、本発明の実施例五によるユーザ装置補助情報制御装置の機能を有する。
【０１６２】
本発明の実施例はユーザ装置補助情報制御方法、装置及びシステムを提供しており、ユーザ装置がネットワーク側により設定された補助情報制御パラメータをキャッチし、前記ユーザ装置が前記補助情報制御パラメータに従って、ネットワーク側に該ユーザ装置の補助情報を報告し、それにより、ネットワーク側がユーザ装置の補助情報報告を制御することを達成し、ＵＥが頻繁補助情報を送信することを避け、ＵＥの補助情報の報告が不適切であることに起因してシステム効率を低下させる問題を解決する。本発明の実施例によるユーザ装置補助情報制御方法及びシステムはＬＴＥシステム及びＵＭＴＳシステムに適用できる。
【０１６３】
一般の当業者は、上記実施例の全部又は一部のステップをコンピュータプログラムフローによって実現することができ、前記コンピュータプログラムはコンピュータ読み取り可能な記憶媒体に記憶してもよいと理解することができ、前記コンピュータプログラムは相応なハードウェアプラットフォーム上（例えばシステム、設備、装置、デバイス等）に実行され、実行する時に、方法実施例のステップの一つ又はその組合せを含む。
【０１６４】
選択肢として、上記実施例の全部又は一部のステップを集積回路により実現してもよく、これらのステップをそれぞれ集積回路モジュールに製作し、又はそれらのうちの複数のモジュール又はステップを単一の集積回路モジュールに製作して実現してもよい。このように、本発明はあらゆる特定形式のハードウェアとソフトウェアの組合せに限らない。
【０１６５】
上記実施例中における各装置／機能モジュール／機能ユニットは汎用の計算装置で実現されてもよく、それらは単一の計算装置上に集中されてもよく、複数の計算装置からなるネットワーク上に分布してもよい。
【０１６６】
上記実施例中における各装置／機能モジュール／機能ユニットはソフトウェア機能モジュールの形式で実現され、且つ独立した製品として販売又は使用される時に、一つのコンピュータ読み取り可能な記憶媒体中に記憶されてもよい。以上に言及したコンピュータ読み取り可能な記憶媒体は読み出し専用メモリ、ディスク又は光ディスク等であってもよい。
【０１６７】
本技術分野に詳しい当業者は、本発明に開示される技術範囲内において、容易に変化又は取り替えを想到し得ることができ、いずれも本発明の保護範囲の内に属すべきである。従って、本発明の保護範囲は請求の範囲に記載の保護範囲を基準とする。
【産業上の利用可能性】
【０１６８】
本発明の実施例中において、ユーザ装置がネットワーク側により設定された補助情報制御パラメータをキャッチし、前記ユーザ装置が前記補助情報制御パラメータに従って、ネットワーク側に該ユーザ装置の補助情報を報告し、それにより、ネットワーク側がユーザ装置の補助情報報告を制御することを達成し、ＵＥが頻繁に補助情報を送信することを避け、ＵＥの補助情報の報告が不適切であることに起因してシステム効率を低下させる問題を解決する。本発明の実施例によるユーザ装置補助情報制御方法及びシステムはＬＴＥシステム及びＵＭＴＳシステムに適用できる。
【図１】
0005980415.tif 000005
【図２】
0005980415.tif 000006
【図３】
0005980415.tif 000007
【図４】
0005980415.tif 000008
【図５】
0005980415.tif 000009
【図６】
0005980415.tif 000010
【図７】
0005980415.tif 000011
【図８】
0005980415.tif 000012